(57)【特許請求の範囲】
【請求項１】
ワイヤレス通信デバイスのために構成された複数のコンポーネントキャリアを受信することであって、前記複数のコンポーネントキャリアが、１つまたは複数の共通探索空間と複数のユーザ固有探索空間とを備える複数の探索空間を備える、受信することと、
前記複数のコンポーネントキャリアの第１のコンポーネントキャリアのためのクロスキャリア動作のインジケータを備えるクロスキャリア構成を受信することと、
前記１つまたは複数の共通探索空間に関連する第１のセットの制御情報フォーマットおよび前記複数のユーザ固有探索空間に関連する第２のセットの制御情報フォーマットにしたがって前記複数の探索空間を復号することによって、前記クロスキャリア構成に基づいて、前記第１のコンポーネントキャリアの制御情報が前記複数のコンポーネントキャリアの第２のコンポーネントキャリア上で搬送される制御情報フォーマット中に存在するかどうかを判断することであって、前記第１のセットの制御情報フォーマットは、キャリアインジケータをもたない第１のダウンリンク制御情報（ＤＣＩ）フォーマットを含み、前記第２のセットの制御情報フォーマットは、キャリアインジケータをもつ前記第１のＤＣＩフォーマットおよびキャリアインジケータをもつ第２の送信モード依存ＤＣＩフォーマットを含む、判断することと、
を備える、ユーザ機器によって実行されるワイヤレス通信方法。
【請求項２】
前記制御情報フォーマットが、アップリンク許可またはダウンリンクリソース割当てを制御するように構成された、請求項１に記載の方法。
【請求項３】
前記第２のセットの制御情報フォーマットが、少なくとも、物理ダウンリンク制御チャネル（ＰＤＣＣＨ）を介して送信されるＬＴＥ  Ｒｅｌ−８およびＲｅｌ−９ＤＣＩフォーマット１、１Ａ、１Ｂ、１Ｃ、１Ｄ、２、２Ａおよび２Ｂを備える、請求項２に記載の方法。
【請求項４】
前記第１のセットの制御情報フォーマットが、少なくとも、物理ダウンリンク制御チャネル（ＰＤＣＣＨ）を介して送信されるＬＴＥ  Ｒｅｌ−８およびＲｅｌ−９ＤＣＩフォーマット０および１Ａを備える、請求項１に記載の方法。
【請求項５】
前記第１のセットの制御情報フォーマット中の各ＤＣＩフォーマットが、キャリアインジケータをもたないＤＣＩを備える、請求項１に記載の方法。
【請求項６】
前記キャリアインジケータが、前記複数のユーザ固有探索空間の各々中にある、請求項１に記載の方法。
【請求項７】
前記キャリアインジケータが、ユニキャストトラフィックのために使用され、ブロードキャストトラフィックのためには使用されない、請求項１に記載の方法。
【請求項８】
前記キャリアインジケータが、３ビットからなるキャリアインジケータフィールド（ＣＩＦ）を備える、請求項１に記載の方法。
【請求項９】
前記ＣＩＦが、ユーザ固有であり、前記複数のコンポーネントキャリアの各々で異なる値を備える、請求項８に記載の方法。
【請求項１０】
前記ＣＩＦが前記第２のコンポーネントキャリアに固有であり、２つ以上のコンポーネントキャリアの制御情報が異なるコンポーネントキャリア上にある場合、前記２つ以上のコンポーネントキャリアのための前記ＣＩＦの値が同じ値を備える、請求項８に記載の方法。
【請求項１１】
前記第１のセットの制御情報フォーマットが、キャリアインジケータをもたない２つの異なるサイズのＤＣＩフォーマットを含み、前記第２のセットの制御情報フォーマットが、キャリアインジケータをもつ少なくとも２つの異なるサイズのＤＣＩフォーマットを含み、キャリアインジケータを介して、クロスキャリア制御がユニキャストトラフィックのために使用可能であり、クロスキャリア制御がブロードキャストトラフィックのためには使用可能でない、請求項１に記載の方法。
【請求項１２】
前記第１の制御情報フォーマットが、キャリアインジケータをもつ少なくとも１つのＤＣＩフォーマットを含む、請求項１に記載の方法。
【請求項１３】
前記第２のセットの制御情報フォーマットの各制御情報フォーマットが、キャリアインジケータをもつＤＣＩフォーマットを備える、請求項１に記載の方法。
【請求項１４】
前記第１のセットの制御情報フォーマットが、キャリアインジケータをもつ２つのサイズのＤＣＩフォーマットと、キャリアインジケータをもたない第３のサイズのＤＣＩフォーマットとを備える、３つのサイズのＤＣＩフォーマットを含み、前記第２のセットの制御情報フォーマットが、キャリアインジケータをもつ少なくとも２つの異なるサイズのＤＣＩフォーマットを含み、前記第１のセットの制御情報フォーマットがＬＴＥ  Ｒｅｌ−８ブロードキャストトラフィックおよびユニキャストトラフィックとの後方互換性がある、請求項１に記載の方法。
【請求項１５】
前記第１のセットの制御情報フォーマットが、キャリアインジケータをもつ第１の２つのサイズのＤＣＩフォーマットと、キャリアインジケータをもたない第２の２つのサイズのＤＣＩフォーマットとを備える、４つのサイズのＤＣＩフォーマットを含み、前記第２のセットの制御情報フォーマットが、キャリアインジケータをもつ少なくとも２つの異なるサイズのＤＣＩフォーマットを含み、前記第１のセットの制御情報フォーマットがＬＴＥ  Ｒｅｌ−８ブロードキャストトラフィックおよびユニキャストトラフィックとの後方互換性がある、請求項１に記載の方法。
【請求項１６】
ワイヤレス通信デバイスのために構成された複数のコンポーネントキャリアを受信するための手段であって、前記複数のコンポーネントキャリアが、１つまたは複数の共通探索空間と複数のユーザ固有探索空間とを備える複数の探索空間を備える、受信するための手段と、
前記複数のコンポーネントキャリアの第１のコンポーネントキャリアのためのクロスキャリア動作のインジケータを備えるクロスキャリア構成を受信するための手段と、
前記１つまたは複数の共通探索空間に関連する第１のセットの制御情報フォーマットおよび前記複数のユーザ固有探索空間に関連する第２のセットの制御情報フォーマットにしたがって前記複数の探索空間を復号することによって、前記クロスキャリア構成に基づいて、前記第１のコンポーネントキャリアの制御情報が前記複数のコンポーネントキャリアの第２のコンポーネントキャリア上で搬送される制御情報フォーマット中に存在するかどうかを判断するための手段であって、前記第１のセットの制御情報フォーマットは、キャリアインジケータをもたない第１のダウンリンク制御情報（ＤＣＩ）フォーマットを含み、前記第２のセットの制御情報フォーマットは、キャリアインジケータをもつ前記第１のＤＣＩフォーマットおよびキャリアインジケータをもつ第２の送信モード依存ＤＣＩフォーマットを含む、判断するための手段と、
を備える、ワイヤレス通信のための装置。
【請求項１７】
装置であって、
プロセッサと、
前記プロセッサによって実行されたとき、
ワイヤレス通信デバイスのために構成された複数のコンポーネントキャリアを受信することであって、前記複数のコンポーネントキャリアが、１つまたは複数の共通探索空間と複数のユーザ固有探索空間とを備える複数の探索空間を備える、受信することと、
前記複数のコンポーネントキャリアの第１のコンポーネントキャリアのためのクロスキャリア動作のインジケータを備えるクロスキャリア構成を受信することと、
前記１つまたは複数の共通探索空間に関連する第１のセットの制御情報フォーマットおよび前記複数のユーザ固有探索空間に関連する第２のセットの制御情報フォーマットにしたがって前記複数の探索空間を復号することによって、前記クロスキャリア構成に基づいて、前記第１のコンポーネントキャリアの制御情報が前記複数のコンポーネントキャリアの第２のコンポーネントキャリア上で搬送される制御情報フォーマット中に存在するかどうかを判断することであって、前記第１のセットの制御情報フォーマットは、キャリアインジケータをもたない第１のダウンリンク制御情報（ＤＣＩ）フォーマットを含み、前記第２のセットの制御情報フォーマットは、キャリアインジケータをもつ前記第１のＤＣＩフォーマットおよびキャリアインジケータをもつ第２の送信モード依存ＤＣＩフォーマットを含む、判断することと、
を前記装置が実行するように構成するプロセッサ実行可能コードを備えるメモリと
を備える、装置。
【請求項１８】
前記制御情報フォーマットが、アップリンク許可またはダウンリンクリソース割当てを制御するように構成された、請求項１７に記載の装置。
【請求項１９】
前記第２のセットの制御情報フォーマットが、少なくとも、物理ダウンリンク制御チャネル（ＰＤＣＣＨ）を介して送信されるＬＴＥ  Ｒｅｌ−８およびＲｅｌ−９ＤＣＩフォーマット１、１Ａ、１Ｂ、１Ｃ、１Ｄ、２、２Ａおよび２Ｂを備える、請求項１７に記載の装置。
【請求項２０】
前記第１のセットの制御情報フォーマットが、少なくとも、物理ダウンリンク制御チャネル（ＰＤＣＣＨ）を介して送信されるＬＴＥ  Ｒｅｌ−８およびＲｅｌ−９ＤＣＩフォーマット０および１Ａを備える、請求項１７に記載の装置。
【請求項２１】
前記第１のセットの制御情報フォーマット中の各ＤＣＩフォーマットが、キャリアインジケータをもたないＤＣＩを備える、請求項１７に記載の装置。
【請求項２２】
前記キャリアインジケータが、前記複数のユーザ固有探索空間の各々中にある、請求項１７に記載の装置。
【請求項２３】
前記キャリアインジケータが、ユニキャストトラフィックのために使用され、ブロードキャストトラフィックのためには使用されない、請求項１７に記載の装置。
【請求項２４】
前記キャリアインジケータが、３ビットからなるキャリアインジケータフィールド（ＣＩＦ）を備える、請求項１７に記載の装置。
【請求項２５】
前記ＣＩＦが、ユーザ固有であり、コンポーネントキャリアごとに異なる値を備える、請求項２４に記載の装置。
【請求項２６】
前記ＣＩＦが前記第２のコンポーネントキャリアに固有であり、２つ以上のコンポーネントキャリアの制御情報が異なるコンポーネントキャリア上にある場合、前記２つ以上のコンポーネントキャリアのための前記ＣＩＦの値が同じ値を備える、請求項２４に記載の装置。
【請求項２７】
前記第１のセットの制御情報フォーマットが、キャリアインジケータをもたない２つの異なるサイズのＤＣＩフォーマットを含み、前記第２のセットの制御情報フォーマットが、キャリアインジケータをもつ少なくとも２つの異なるサイズのＤＣＩフォーマットを含み、キャリアインジケータを介して、クロスキャリア制御がユニキャストトラフィックのために使用可能であり、クロスキャリア制御がブロードキャストトラフィックのためには使用可能でない、請求項１７に記載の装置。
【請求項２８】
前記第１の制御情報フォーマットが、キャリアインジケータをもつ少なくとも１つのＤＣＩフォーマットを含む、請求項１７に記載の装置。
【請求項２９】
前記第２のセットの制御情報フォーマットの各制御情報フォーマットが、キャリアインジケータをもつＤＣＩフォーマットを備える、請求項１７に記載の装置。
【請求項３０】
前記第１のセットの制御情報フォーマットが、キャリアインジケータをもつ２つのサイズのＤＣＩフォーマットと、キャリアインジケータをもたない第３のサイズのＤＣＩフォーマットとを備える、３つのサイズのＤＣＩフォーマットを含み、前記第２のセットの制御情報フォーマットが、キャリアインジケータをもつ少なくとも２つの異なるサイズのＤＣＩフォーマットを含み、前記第１のセットの制御情報フォーマットがＬＴＥ  Ｒｅｌ−８ブロードキャストトラフィックおよびユニキャストトラフィックとの後方互換性がある、請求項１７に記載の装置。
【請求項３１】
前記第１のセットの制御情報フォーマットが、キャリアインジケータをもつ第１の２つのサイズのＤＣＩフォーマットと、キャリアインジケータをもたない第２の２つのサイズのＤＣＩフォーマットとを備える、４つのサイズのＤＣＩフォーマットを含み、前記第２のセットの制御情報フォーマットが、キャリアインジケータをもつ少なくとも２つの異なるサイズのＤＣＩフォーマットを含み、前記第１のセットの制御情報フォーマットがＬＴＥ  Ｒｅｌ−８ブロードキャストトラフィックおよびユニキャストトラフィックとの後方互換性がある、請求項１７に記載の装置。
【請求項３２】
ワイヤレス通信デバイスのために構成された複数のコンポーネントキャリアを受信するためのプログラムコードであって、前記複数のコンポーネントキャリアが、１つまたは複数の共通探索空間と複数のユーザ固有探索空間とを備える複数の探索空間を備える、受信するためのプログラムコードと、
前記複数のコンポーネントキャリアの第１のコンポーネントキャリアのためのクロスキャリア動作のインジケータを備えるクロスキャリア構成を受信するためのプログラムコードと、
前記１つまたは複数の共通探索空間に関連する第１のセットの制御情報フォーマットおよび前記複数のユーザ固有探索空間に関連する第２のセットの制御情報フォーマットにしたがって前記複数の探索空間を復号することによって、前記クロスキャリア構成に基づいて、前記第１のコンポーネントキャリアの制御情報が前記複数のコンポーネントキャリアの第２のコンポーネントキャリア上で搬送される制御情報フォーマット中に存在するかどうかを判断するためのプログラムコードであって、前記第１のセットの制御情報フォーマットは、キャリアインジケータをもたない第１のダウンリンク制御情報（ＤＣＩ）フォーマットを含み、前記第２のセットの制御情報フォーマットは、キャリアインジケータをもつ前記第１のＤＣＩフォーマットおよびキャリアインジケータをもつ第２の送信モード依存ＤＣＩフォーマットを含む、判断するためのプログラムコードと、
を備える、非一時的コンピュータ可読記憶媒体。
【請求項３３】
ワイヤレス通信デバイスのために構成された複数のコンポーネントキャリアを送信することであって、前記複数のコンポーネントキャリアが、１つまたは複数の共通探索空間と複数のユーザ固有探索空間とを備える複数の探索空間を備える、送信することと、
前記複数のコンポーネントキャリアの第１のコンポーネントキャリアのためのクロスキャリア動作のインジケータを備えるクロスキャリア構成を送信することと、
前記複数のコンポーネントキャリアの第２のコンポーネントキャリア上で搬送される制御情報中の前記第１のコンポーネントキャリアの制御情報を送信することであって、前記制御情報は、前記１つまたは複数の共通探索空間に関連する第１のセットの制御情報フォーマットおよび前記複数のユーザ固有探索空間に関連する第２のセットの制御情報フォーマットにしたがって符号化され、前記第１のセットの制御情報フォーマットは、キャリアインジケータをもたない第１のダウンリンク制御情報（ＤＣＩ）フォーマットを含み、前記第２のセットの制御情報フォーマットは、キャリアインジケータをもつ前記第１のＤＣＩフォーマットおよびキャリアインジケータをもつ第２の送信モード依存ＤＣＩフォーマットを含む、送信することと
を備える、基地局によって実行されるワイヤレス通信方法。
【請求項３４】
前記制御情報フォーマットが、アップリンク許可またはダウンリンクリソース割当てを制御するように構成された、請求項３３に記載の方法。
【請求項３５】
前記第２のセットの制御情報フォーマットが、少なくとも、物理ダウンリンク制御チャネル（ＰＤＣＣＨ）を介して送信されるＬＴＥ  Ｒｅｌ−８およびＲｅｌ−９ＤＣＩフォーマット１、１Ａ、１Ｂ、１Ｃ、１Ｄ、２、２Ａおよび２Ｂを備える、請求項３４に記載の方法。
【請求項３６】
前記第１のセットの制御情報フォーマットが、少なくとも、物理ダウンリンク制御チャネル（ＰＤＣＣＨ）を介して送信されるＬＴＥ  Ｒｅｌ−８およびＲｅｌ−９ＤＣＩフォーマット０および１Ａを備える、請求項３３に記載の方法。
【請求項３７】
前記第１のセットの制御情報フォーマット中の各ＤＣＩフォーマットが、キャリアインジケータをもたないＤＣＩを備える、請求項３３に記載の方法。
【請求項３８】
前記キャリアインジケータが、前記複数のユーザ固有探索空間の各々中にある、請求項３３に記載の方法。
【請求項３９】
前記キャリアインジケータが、ユニキャストトラフィックのために使用され、ブロードキャストトラフィックのためには使用されない、請求項３３に記載の方法。
【請求項４０】
前記キャリアインジケータが、３ビットからなるキャリアインジケータフィールド（ＣＩＦ）を備える、請求項３３に記載の方法。
【請求項４１】
前記ＣＩＦが、ユーザ固有であり、コンポーネントキャリアごとに異なる値を備える、請求項４０に記載の方法。
【請求項４２】
前記ＣＩＦが前記第２のコンポーネントキャリアに固有であり、２つ以上のコンポーネントキャリアの制御情報が異なるコンポーネントキャリア上にある場合、前記２つ以上のコンポーネントキャリアのための前記ＣＩＦの値が同じ値を備える、請求項４０に記載の方法。
【請求項４３】
前記第１のセットの制御情報フォーマットが、キャリアインジケータをもたない２つの異なるサイズのＤＣＩフォーマットを含み、前記第２のセットの制御情報フォーマットが、キャリアインジケータをもつ少なくとも２つの異なるサイズのＤＣＩフォーマットを含み、キャリアインジケータを介して、クロスキャリア制御がユニキャストトラフィックのために使用可能であり、クロスキャリア制御がブロードキャストトラフィックのためには使用可能でない、請求項３３に記載の方法。
【請求項４４】
前記第１の制御情報フォーマットが、キャリアインジケータをもつ第２のＤＣＩフォーマットを含む、請求項３３に記載の方法。
【請求項４５】
前記第２のセットの制御情報フォーマットの各制御情報フォーマットが、キャリアインジケータをもつＤＣＩフォーマットを備える、請求項３３に記載の方法。
【請求項４６】
前記第１のセットの制御情報フォーマットが、キャリアインジケータをもつ２つのサイズのＤＣＩフォーマットと、キャリアインジケータをもたない第３のサイズのＤＣＩフォーマットとを備える、３つのサイズのＤＣＩフォーマットを含み、前記第２のセットの制御情報フォーマットが、キャリアインジケータをもつ少なくとも２つの異なるサイズのＤＣＩフォーマットを含み、前記第１のセットの制御情報フォーマットがＬＴＥ  Ｒｅｌ−８ブロードキャストトラフィックおよびユニキャストトラフィックとの後方互換性がある、請求項３３に記載の方法。
【請求項４７】
前記第１のセットの制御情報フォーマットが、キャリアインジケータをもつ第１の２つのサイズのＤＣＩフォーマットと、キャリアインジケータをもたない第２の２つのサイズのＤＣＩフォーマットとを備える、４つのサイズのＤＣＩフォーマットを含み、前記第２のセットの制御情報フォーマットが、キャリアインジケータをもつ少なくとも２つの異なるサイズのＤＣＩフォーマットを含み、前記第１のセットの制御情報フォーマットがＬＴＥ  Ｒｅｌ−８ブロードキャストトラフィックおよびユニキャストトラフィックとの後方互換性がある、請求項３３に記載の方法。
【請求項４８】
ワイヤレス通信デバイスのために構成された複数のコンポーネントキャリアを送信するための手段であって、前記複数のコンポーネントキャリアが、１つまたは複数の共通探索空間と複数のユーザ固有探索空間とを備える複数の探索空間を備える、送信するための手段と、
前記複数のコンポーネントキャリアの第１のコンポーネントキャリアのためのクロスキャリア動作のインジケータを備えるクロスキャリア構成を送信するための手段と、
前記複数のコンポーネントキャリアの第２のコンポーネントキャリア上で搬送される制御情報中の前記第１のコンポーネントキャリアの制御情報を送信するための手段であって、前記制御情報は、前記１つまたは複数の共通探索空間に関連する第１のセットの制御情報フォーマットおよび前記複数のユーザ固有探索空間に関連する第２のセットの制御情報フォーマットにしたがって符号化され、前記第１のセットの制御情報フォーマットは、キャリアインジケータをもたない第１のダウンリンク制御情報（ＤＣＩ）フォーマットを含み、前記第２のセットの制御情報フォーマットは、キャリアインジケータをもつ前記第１のＤＣＩフォーマットおよびキャリアインジケータをもつ第２の送信モード依存ＤＣＩフォーマットを含む、送信するための手段と
を備える、ワイヤレス通信のための装置。
【請求項４９】
装置であって、
プロセッサと、
前記プロセッサによって実行されたとき、
ワイヤレス通信デバイスのために構成された複数のコンポーネントキャリアを送信することであって、前記複数のコンポーネントキャリアが、１つまたは複数の共通探索空間と複数のユーザ固有探索空間とを備える複数の探索空間を備える、送信することと、
前記複数のコンポーネントキャリアの第１のコンポーネントキャリアのためのクロスキャリア動作のインジケータを備えるクロスキャリア構成を送信することと、
前記複数のコンポーネントキャリアの第２のコンポーネントキャリア上で搬送される制御情報中の前記第１のコンポーネントキャリアの制御情報を送信することであって、前記制御情報は、前記１つまたは複数の共通探索空間に関連する第１のセットの制御情報フォーマットおよび前記複数のユーザ固有探索空間に関連する第２のセットの制御情報フォーマットにしたがって符号化され、前記第１のセットの制御情報フォーマットは、キャリアインジケータをもたない第１のダウンリンク制御情報（ＤＣＩ）フォーマットを含み、前記第２のセットの制御情報フォーマットは、キャリアインジケータをもつ前記第１のＤＣＩフォーマットおよびキャリアインジケータをもつ第２の送信モード依存ＤＣＩフォーマットを含む、送信するためのことと、
を前記装置が実行するように構成するプロセッサ実行可能コードを備えるメモリと
を備える、装置。
【請求項５０】
前記制御情報フォーマットが、アップリンク許可またはダウンリンクリソース割当てを制御するように構成された、請求項４９に記載の装置。
【請求項５１】
前記第２のセットの制御情報フォーマットが、少なくとも、物理ダウンリンク制御チャネル（ＰＤＣＣＨ）を介して送信されるＬＴＥ  Ｒｅｌ−８およびＲｅｌ−９ＤＣＩフォーマット１、１Ａ、１Ｂ、１Ｃ、１Ｄ、２、２Ａおよび２Ｂを備える、請求項４９に記載の装置。
【請求項５２】
前記第１のセットの制御情報フォーマットが、少なくとも、物理ダウンリンク制御チャネル（ＰＤＣＣＨ）を介して送信されるＬＴＥ  Ｒｅｌ−８およびＲｅｌ−９ＤＣＩフォーマット０および１Ａを備える、請求項４９に記載の装置。
【請求項５３】
前記第１のセットの制御情報フォーマット中の各ＤＣＩフォーマットが、キャリアインジケータをもたないＤＣＩを備える、請求項４９に記載の装置。
【請求項５４】
前記キャリアインジケータが、前記複数のユーザ固有探索空間の各々中にある、請求項４９に記載の装置。
【請求項５５】
前記キャリアインジケータが、ユニキャストトラフィックのために使用され、ブロードキャストトラフィックのためには使用されない、請求項４９に記載の装置。
【請求項５６】
前記キャリアインジケータが、３ビットからなるキャリアインジケータフィールド（ＣＩＦ）を備える、請求項４９に記載の装置。
【請求項５７】
前記ＣＩＦが、ユーザ固有であり、コンポーネントキャリアごとに異なる値を備える、請求項５６に記載の装置。
【請求項５８】
前記ＣＩＦが前記第２のコンポーネントキャリアに固有であり、２つ以上のコンポーネントキャリアの制御情報が異なるコンポーネントキャリア上にある場合、前記２つ以上のコンポーネントキャリアのための前記ＣＩＦの値が同じ値を備える、請求項５６に記載の装置。
【請求項５９】
前記第１のセットの制御情報フォーマットが、キャリアインジケータをもたない２つの異なるサイズのＤＣＩフォーマットを含み、前記第２のセットの制御情報フォーマットが、キャリアインジケータをもつ少なくとも２つの異なるサイズのＤＣＩフォーマットを含み、キャリアインジケータを介して、クロスキャリア制御がユニキャストトラフィックのために使用可能であり、クロスキャリア制御がブロードキャストトラフィックのためには使用可能でない、請求項４９に記載の装置。
【請求項６０】
前記第１の制御情報フォーマットが、キャリアインジケータをもつ第２のＤＣＩフォーマットを含む、請求項４９に記載の装置。
【請求項６１】
前記第２のセットの制御情報フォーマットの各制御情報フォーマットが、キャリアインジケータをもつＤＣＩフォーマットを備える、請求項４９に記載の装置。
【請求項６２】
前記第１のセットの制御情報フォーマットが、キャリアインジケータをもつ２つのサイズのＤＣＩフォーマットと、キャリアインジケータをもたない第３のサイズのＤＣＩフォーマットとを備える、３つのサイズのＤＣＩフォーマットを含み、前記第２のセットの制御情報フォーマットが、キャリアインジケータをもつ少なくとも２つの異なるサイズのＤＣＩフォーマットを含み、前記第１のセットの制御情報フォーマットがＬＴＥ  Ｒｅｌ−８ブロードキャストトラフィックおよびユニキャストトラフィックとの後方互換性がある、請求項４９に記載の装置。
【請求項６３】
前記第１のセットの制御情報フォーマットが、キャリアインジケータをもつ第１の２つのサイズのＤＣＩフォーマットと、キャリアインジケータをもたない第２の２つのサイズのＤＣＩフォーマットとを備える、４つのサイズのＤＣＩフォーマットを含み、前記第２のセットの制御情報フォーマットが、キャリアインジケータをもつ少なくとも２つの異なるサイズのＤＣＩフォーマットを含み、前記第１のセットの制御情報フォーマットがＬＴＥ  Ｒｅｌ−８ブロードキャストトラフィックおよびユニキャストトラフィックとの後方互換性がある、請求項４９に記載の装置。
【請求項６４】
ワイヤレス通信デバイスのために構成された複数のコンポーネントキャリアを送信するためのプログラムコードであって、前記複数のコンポーネントキャリアが、１つまたは複数の共通探索空間と複数のユーザ固有探索空間とを備える複数の探索空間を備える、送信するためのプログラムコードと、
前記複数のコンポーネントキャリアの第１のコンポーネントキャリアのためのクロスキャリア動作のインジケータを備えるクロスキャリア構成を送信するためのプログラムコードであって、前記ワイヤレス通信デバイスが、前記１つまたは複数の共通探索空間に関連する第１のセットの制御情報フォーマットおよび前記複数のユーザ固有探索空間に関連する第２のセットの制御情報フォーマットにしたがって前記複数の探索空間を復号することによって、前記クロスキャリア構成に基づいて、前記第１のコンポーネントキャリアの制御情報が前記複数のコンポーネントキャリアの第２のコンポーネントキャリア上で搬送される制御情報フォーマット中に存在するかどうかを判断し、前記第１のセットの制御情報フォーマットは、キャリアインジケータをもたない第１のダウンリンク制御情報（ＤＣＩ）フォーマットを含み、前記第２のセットの制御情報フォーマットは、キャリアインジケータをもつ前記第１のＤＣＩフォーマットおよびキャリアインジケータをもつ第２の送信モード依存ＤＣＩフォーマットを含む、送信するためのプログラムコードと
を備える、非一時的コンピュータ可読記憶媒体。
【発明の詳細な説明】
【優先権の主張】
【０００１】
本出願は、その全体が参照により本明細書に組み込まれる、２００９年９月１１日に出願された「MULTIPLE CARRIER INDICATION AND DOWNLINK CONTROL INFORMATION INTERACTION」と題する米国仮出願第６１／２４１，８１６号の優先権を主張する。本出願は、その全体が参照により本明細書に組み込まれる、２００９年１０月５日に出願された「DOWNLINK CONTROL INFORMATION FOR MULTI-CARRIER OPERATION」と題する米国仮出願第６１／２４８，８１６号の優先権を主張する。
【技術分野】
【０００２】
本開示は、一般にワイヤレス通信の分野に関し、より詳細には、マルチキャリア環境において制御情報を与えるためにワイヤレス通信システムの能力を向上させることに関する。
【背景技術】
【０００３】
このセクションは、開示する実施形態の背景またはコンテキストを与えるものである。本明細書の説明には、追求され得る概念が含まれ得るが、必ずしも以前に想到または追求された概念ではない。したがって、本明細書に別段に規定されていない限り、このセクションで説明することは、本出願の明細書および特許請求の範囲に対する従来技術ではなく、このセクションに包含することによって従来技術であるとは認められない
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末またはユーザ機器（ＵＥ）は、順方向および逆方向リンク上の送信を介して１つまたは複数の基地局と通信する。順方向リンク（またはダウンリンク）は基地局からユーザ機器への通信リンクを指し、逆方向リンク（またはアップリンク）はユーザ機器から基地局への通信リンクを指す。
【発明の概要】
【０００５】
開示する実施形態は、ワイヤレス通信システムにおいてマルチキャリアインジケータとダウンリンク制御情報との対話を可能にする、システム、方法、装置およびコンピュータプログラム製品に関する。
【０００６】
開示する実施形態の一態様では、方法は、ワイヤレス通信デバイスのために構成された複数のコンポーネントキャリアを受信することを含み、複数のコンポーネントキャリアは、１つまたは複数の共通探索空間と複数のユーザ固有探索空間とを有する複数の探索空間を含む。本方法は、クロスキャリアインジケータを受信することをさらに含み、クロスキャリアインジケータは、第１のコンポーネントキャリアのためのクロスキャリアシグナリングを可能にするように構成される。本方法はまた、第２のコンポーネントキャリア上で搬送される制御情報フォーマットと第２のコンポーネントキャリア上の探索空間との関連に基づいて、クロスキャリアインジケータが上記制御情報フォーマット中に存在するかどうかを判断することを含む。
【０００７】
一実施形態では、共通探索空間は、キャリアインジケータをもたない２つのダウンリンク制御情報（ＤＣＩ：downlink control information）フォーマットを含み、複数のユーザ固有探索空間は、キャリアインジケータをもつ少なくとも２つの異なるサイズのＤＣＩフォーマットを含み、キャリアインジケータを介して、クロスキャリア制御はユニキャストトラフィックのために使用可能であり、キャリアインジケータを介して、クロスキャリア制御はブロードキャストトラフィックのためには使用可能でない。
【０００８】
一実施形態では、共通探索空間は、キャリアインジケータをもつ第１のサイズの（１つまたは複数の）ＤＣＩフォーマットと、キャリアインジケータをもたない第２のサイズの（１つまたは複数の）ＤＣＩフォーマットとを含み、複数のユーザ固有探索空間は、キャリアインジケータをもつ少なくとも２つの異なるサイズのＤＣＩフォーマットを含み、キャリアインジケータを介して、クロスキャリア制御はユニキャストトラフィックのために使用可能であり、ブロードキャストトラフィックのためには使用可能でない。
【０００９】
一実施形態では、共通探索空間は、キャリアインジケータをもつ２つの異なるサイズのＤＣＩフォーマットを含み、複数のユーザ固有探索空間は、キャリアインジケータをもつ少なくとも２つの異なるサイズのＤＣＩフォーマットを含み、クロスキャリア制御は、キャリアインジケータを介してユニキャストトラフィックとブロードキャストトラフィックとのために使用可能である。
【００１０】
一実施形態では、共通探索空間は、キャリアインジケータをもつ第１のサイズの（１つまたは複数の）ＤＣＩフォーマットと、キャリアインジケータをもたない第２のサイズの（１つまたは複数の）ＤＣＩフォーマットとを含み、複数のユーザ固有探索空間は、キャリアインジケータをもつ２つのＤＣＩフォーマットを含み、クロスキャリア制御は、キャリアインジケータを介してユニキャストトラフィックとブロードキャストトラフィックとのために使用可能である。
【００１１】
一実施形態では、共通探索空間は、キャリアインジケータがある２つのサイズのＤＣＩフォーマットとキャリアインジケータがない第３のサイズの（１つまたは複数の）ＤＣＩフォーマットとを備える、３つの異なるサイズのＤＣＩフォーマットを含み、複数のユーザ固有探索空間は、キャリアインジケータがある少なくとも２つの異なるサイズのＤＣＩフォーマットを含み、ＬＴＥ  Ｒｅｌ−８ブロードキャストトラフィックおよびユニキャストトラフィックと後方互換性を提供する。
【００１２】
一実施形態では、共通探索空間は、キャリアインジケータがある第１の２つのサイズのＤＣＩフォーマットとキャリアインジケータがない第２の２つのサイズのＤＣＩフォーマットとを備える、４つの異なるサイズのＤＣＩフォーマットを含み、複数のユーザ固有探索空間は、キャリアインジケータがある少なくとも２つの異なるサイズのＤＣＩフォーマットを含み、ＬＴＥ  Ｒｅｌ−８ブロードキャストトラフィックおよびユニキャストトラフィックと後方互換性を提供する。
【００１３】
開示する一実施形態では、ワイヤレス通信システムにおける本方法は、クロスキャリア制御インジケータを用いて、通信キャリアの制御チャネル中で制御情報をフォーマットすることとスクランブリングコードを用いて制御情報のＣＲＣをスクランブルすることとを含み、スクランブリングコードは、制御情報のフォーマットと、制御チャネル中の複数の探索空間内の制御情報のロケーションとに基づいて選択される。
【００１４】
別の態様では、第１の複数の制御情報フォーマットは、第１のスクランブリングコードと少なくとも１つの共通探索空間とに関連し、第１の複数の制御情報フォーマットを含む第２の複数の制御情報フォーマットは、第２のスクランブリングコードと複数のユーザ固有探索空間とに関連し、第２のスクランブリングコードは、第１のスクランブリングコードとは異なる。
【００１５】
別の開示する実施形態では、ワイヤレス通信デバイスにおける方法は、スクランブルされた制御情報を求めて通信キャリアの制御チャネル中の複数の探索空間を探索することと、制御情報を抽出するために、複数のデスクランブリングコードで複数の探索空間をブラインド復号することと、制御情報のフォーマットと、複数の探索空間中の制御情報のロケーションとに基づいてクロスキャリア制御インジケータの存在を判断することとを含む。
【００１６】
別の態様では、第１の複数の制御情報フォーマットは、第１のデスクランブリングコードと少なくとも１つの共通探索空間とに関連し、第１の複数の制御情報フォーマットを含む第２の複数の制御情報フォーマットは、第２のデスクランブリングコードと複数のユーザ固有探索空間とに関連し、第２のデスクランブリングコードは、第１のデスクランブリングコードとは異なる。
【００１７】
他の開示する実施形態は、開示する方法を実行するための装置およびコンピュータプログラム製品を含む。
【００１８】
限定ではなく例として、添付の図面を参照することによって、様々な開示する実施形態が示されている。
【図面の簡単な説明】
【００１９】
【図１】ワイヤレス通信システムを示す図。
【図２】通信システムのブロック図。
【図３】例示的な探索空間を示す図。
【図４】探索空間に関連する例示的なアグリゲーションレベルのセットを示す図。
【図５】探索空間に関連する例示的なアグリゲーションレベルの別のセットを示す図。
【図６】様々な実施形態が実装され得るシステムを示す図。
【図７】クロスキャリアシグナリングのためのワイヤレス通信システムのブロック図。
【図８Ａ】例示的な実施形態による方法を示すフローチャート。
【図８Ｂ】別の例示的な実施形態による方法を示すフローチャート。
【図８Ｃ】さらに別の例示的な実施形態による方法を示すフローチャート。
【図９】様々な実施形態が実装され得るシステムを示す図。
【図１０】様々な実施形態が実装され得る装置を示す図。
【発明を実施するための形態】
【００２０】
以下の記述では、限定ではなく説明の目的で、様々な開示する実施形態の完全な理解を与えるために詳細および説明を記載する。ただし、様々な実施形態は、これらの詳細および説明から逸脱する他の実施形態において実施され得ることが当業者には明らかであろう。
【００２１】
本明細書で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラムおよび／またはコンピュータとすることができ得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散し得る。さらに、これらの構成要素は、様々なデータ構造を記憶している様々なコンピュータ可読媒体から実行することができる。これらの構成要素は、１つまたは複数のデータパケット（たとえば、ローカルシステム、分散システム内の別の構成要素と対話する、および／またはインターネットなどのネットワーク上で信号を介して他のシステムと対話する、１つの構成要素からのデータ）を有する信号によるなど、ローカルプロセスおよび／またはリモートプロセスを介して通信し得る。
【００２２】
さらに、本明細書では、いくつかの実施形態について、ユーザ機器に関して説明する。ユーザ機器は、ユーザ端末とも呼ばれ、システム、加入者ユニット、加入者局、移動局、モバイルワイヤレス端末、モバイルデバイス、ノード、デバイス、遠隔局、リモート端末、端末、ワイヤレス通信デバイス、ワイヤレス通信装置またはユーザエージェントの機能の一部または全部を含み得る。ユーザ機器は、セルラー電話、コードレス電話、セッション開始プロトコル（ＳＩＰ）電話、スマートフォン、ワイヤレスローカルループ（ＷＬＬ）局、携帯情報端末（ＰＤＡ）、ラップトップ、ハンドヘルド通信デバイス、ハンドヘルドコンピューティングデバイス、衛星無線、ワイヤレスモデムカード、および／またはワイヤレスシステムを介して通信するための別の処理デバイスとすることができる。さらに、本明細書では基地局に関する様々な態様について説明する。基地局は、１つまたは複数のワイヤレス端末と通信するために利用され得、アクセスポイント、ノード、ノードＢ、発展型ノードＢ（ｅＮＢ）または何らかの他のネットワークエンティティと呼ばれることもあり、それらの機能の一部または全部を含み得る。基地局は、エアインターフェースを介してワイヤレス端末と通信する。通信は、１つまたは複数のセクタを通して行われ得る。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整することができ、また、ワイヤードネットワークとワイヤレスネットワークとの間のゲートウェイであり得る。
【００２３】
様々な態様、実施形態または特徴は、いくつかのデバイス、構成要素、モジュールなどを含み得るシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００２４】
さらに、「例示的」という単語は、本明細書では、例、事例または例示の働きをすることを意味するために使用する。「例示的」として本明細書で説明するいかなる実施形態または設計も、必ずしも他の実施形態または設計よりも好ましいまたは有利なものと解釈すべきではない。むしろ、例示的という単語の使用は、概念を具体的な方法で提示するものである。
【００２５】
様々な開示する実施形態は、通信システムに組み込まれ得る。一例では、そのような通信システムは、全システム帯域幅を、周波数サブチャネル、トーンまたは周波数ビンと呼ばれることもある複数（ＮF）個のサブキャリアに効果的に区分する直交周波数分割多重（ＯＦＤＭ）を利用する。ＯＦＤＭシステムでは、まず、送信すべきデータ（すなわち、情報ビット）を特定の符号化方式を用いて符号化して符号化ビットを発生し、符号化ビットをさらにマルチビットシンボルにグループ化し、次いで、これらのマルチビットシンボルを変調シンボルにマッピングする。各変調シンボルは、データ送信のために使用される特定の変調方式（たとえば、Ｍ−ＰＳＫまたはＭ−ＱＡＭ）によって定義された信号コンスタレーション中のポイントに対応する。各周波数サブキャリアの帯域幅に依存し得る各時間間隔において、変調シンボルは、ＮF個の周波数サブキャリアの各々上で送信され得る。したがって、システム帯域幅にわたって異なる減衰量よって特徴づけられる、周波数選択性フェージングによって引き起こされたシンボル間干渉（ＩＳＩ：inter-symbol interference）をなくすために、ＯＦＤＭが使用され得る。
【００２６】
概して、ワイヤレス多元接続通信システムは、複数のワイヤレス端末のための通信を同時にサポートすることができる。各端末は、順方向および逆方向リンク上の送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立できる。
【００２７】
ＭＩＭＯシステムは、データ伝送のために複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。ＭＩＭＯシステムはまた、時分割複信（ＴＤＤ）システムと周波数分割複信（ＦＤＤ）システムとをサポートする。ＴＤＤシステムでは、順方向および逆方向リンク送信が同一周波数領域上で行われるので、相反定理による逆方向リンクチャネルからの順方向リンクチャネルの推定が可能である。これにより、複数のアンテナが基地局で利用可能なとき、基地局は順方向リンク上で送信ビームフォーミング利得を取り出すことが可能になる。
【００２８】
図１に、様々な開示する実施形態が実装され得るワイヤレス通信システムを示す。基地局１００が、複数のアンテナグループを含み得、各アンテナグループは、１つまたは複数のアンテナを備え得る。たとえば、基地局１００が６つのアンテナを備える場合、あるアンテナグループが、第１のアンテナ１０４と第２のアンテナ１０６とを備え得、別のアンテナグループが、第３のアンテナ１０８と第４のアンテナ１１０とを備え得、第３のグループが、第５のアンテナ１１２と第６のアンテナ１１４とを備え得る。上記のアンテナグループの各々が２つのアンテナを有するとして特定されたが、各アンテナグループ中でより多いまたはより少ないアンテナが利用され得ることに留意されたい。
【００２９】
再び図１を参照すると、第１のユーザ機器１１６は、第１の順方向リンク１２０を介した第１のユーザ機器１１６への情報の送信と、第１の逆方向リンク１１８を介した第１のユーザ機器１１６からの情報の受信とを可能にするために、たとえば、第５のアンテナ１１２と第６のアンテナ１１４と通信するものとして示されている。また、図１に、第２の順方向リンク１２６を介した第２のユーザ機器１２２への情報の送信と第２の逆方向リンク１２４を介した第２のユーザ機器１２２からの情報の受信とを可能にするために、たとえば、第３のアンテナ１０８と第４のアンテナ１１０と通信する第２のユーザ機器１２２を示す。周波数分割複信（ＦＤＤ）システムでは、図１に示す通信リンク１１８、１２０、１２４、１２６は、通信のための異なる周波数を使用し得る。たとえば、第１の順方向リンク１２０は、第１の逆方向リンク１１８によって使用される周波数とは異なる周波数を使用し得る。
【００３０】
いくつかの実施形態では、アンテナの各グループ、および／またはアンテナが通信するように設計されたエリアは、しばしば、基地局のセクタと呼ばれる。たとえば、図１に示す異なるアンテナグループが、基地局１００のセクタ中のユーザ機器に通信するように設計され得る。順方向リンク１２０および１２６を介した通信では、基地局１００の送信アンテナは、異なるユーザ機器１１６および１２２に対して順方向リンクの信号対雑音比を改善するためにビームフォーミングを利用する。また、そのカバレージエリア全体にわたってランダムに散在するユーザ機器に送信するためにビームフォーミングを使用する基地局は、単一のアンテナを介してそのすべてのユーザ機器にオムニ指向的に送信する基地局よりも、近隣セル中のユーザ機器への干渉が小さくなる。
【００３１】
様々な開示する実施形態のいくつかに適応し得る通信ネットワークは、制御チャネルとトラフィックチャネルとに分類される論理チャネルを含み得る。論理制御チャネルは、システム制御情報をブロードキャストするためのダウンリンクチャネルであるブロードキャスト制御チャネル（ＢＣＣＨ：broadcast control channel）、ページング情報を転送するダウンリンクチャネルであるページング制御チャネル（ＰＣＣＨ：paging control channel）、１つまたは複数のマルチキャストトラフィックチャネル（ＭＴＣＨ：multicast traffic channel）のためのマルチメディアブロードキャストおよびマルチキャストサービス（ＭＢＭＳ：multimedia broadcast and multicast service）スケジューリングおよび制御情報を送信するために使用されるポイントツーマルチポイントダウンリンクチャネルであるマルチキャスト制御チャネル（ＭＣＣＨ：multicast control channel）を含み得る。概して、無線リソース制御（ＲＲＣ：radio resource control）接続を確立した後、ＭＣＣＨは、ＭＢＭＳを受信するユーザ機器によってのみ使用され得る。専用制御チャネル（ＤＣＣＨ：dedicated control channel）は、ＲＲＣ接続を有するユーザ機器によって使用されるユーザ固有の制御情報などの専用制御情報を送信するポイントツーポイント双方向チャネルである別の論理制御チャネルである。また、共通制御チャネル（ＣＣＣＨ：common control channel）は、ランダムアクセス情報のために使用され得る論理制御チャネルである。論理トラフィックチャネルは、ユーザ情報の転送のための１つのユーザ機器に専用のポイントツーポイント双方向チャネルである専用トラフィックチャネル（ＤＴＣＨ：dedicated traffic channel）を備え得る。また、マルチキャストトラフィックチャネル（ＭＴＣＨ：multicast traffic channel）は、トラフィックデータのポイントツーマルチポイントダウンリンク送信のために使用され得る。
【００３２】
様々な実施形態のいくつかに適応する通信ネットワークは、さらに、ダウンリンク（ＤＬ：downlink）とアップリンク（ＵＬ：uplink）とに分類される論理トランスポートチャネルを含み得る。ＤＬトランスポートチャネルは、ブロードキャストチャネル（ＢＣＨ：broadcast channel）、ダウンリンク共有データチャネル（ＤＬ−ＳＤＣＨ：downlink shared data channel）、マルチキャストチャネル（ＭＣＨ：multicast channel）、およびページングチャネル（ＰＣＨ：Paging Channel）を含み得る。ＵＬトランスポートチャネルは、ランダムアクセスチャネル（ＲＡＣＨ：random access channel）、要求チャネル（ＲＥＱＣＨ：request channel）、アップリンク共有データチャネル（ＵＬ−ＳＤＣＨ：uplink shared data channel）、および複数の物理チャネルを含み得る。物理チャネルはまた、ダウンリンクチャネルおよびアップリンクチャネルのセットを含み得る。
【００３３】
いくつかの開示する実施形態では、ダウンリンク物理チャネルは、共通パイロットチャネル（ＣＰＩＣＨ：common pilot channel）、同期チャネル（ＳＣＨ：synchronization channel）、共通制御チャネル（ＣＣＣＨ：common control channel）、共有ダウンリンク制御チャネル（ＳＤＣＣＨ：shared downlink control channel）、マルチキャスト制御チャネル（ＭＣＣＨ：multicast control channel）、共有アップリンク割当てチャネル（ＳＵＡＣＨ：shared uplink assignment channel）、肯定応答チャネル（ＡＣＫＣＨ：acknowledgement channel）、ダウンリンク物理共有データチャネル（ＤＬ−ＰＳＤＣＨ：downlink physical shared data channel）、アップリンク電力制御チャネル（ＵＰＣＣＨ：uplink power control channel）、ページングインジケータチャネル（ＰＩＣＨ：paging indicator channel）、負荷インジケータチャネル（ＬＩＣＨ：load indicator channel）、物理ブロードキャストチャネル（ＰＢＣＨ：physical broadcast channel）、物理制御フォーマットインジケータチャネル（ＰＣＦＩＣＨ：physical control format indicator channel）、物理ダウンリンク制御チャネル（ＰＤＣＣＨ：physical downlink control channel）、物理ハイブリッドＡＲＱインジケータチャネル（ＰＨＩＣＨ：physical hybrid ARQ indicator channel）、物理ダウンリンク共有チャネル（ＰＤＳＣＨ：physical downlink shared channel）および物理マルチキャストチャネル（ＰＭＣＨ：physical multicast channel）のうちの少なくとも１つを含み得る。アップリンク物理チャネルは、物理ランダムアクセスチャネル（ＰＲＡＣＨ：physical random access channel）、チャネル品質インジケータチャネル（ＣＱＩＣＨ：channel quality indicator channel）、肯定応答チャネル（ＡＣＫＣＨ：acknowledgement channel）、アンテナサブセットインジケータチャネル（ＡＳＩＣＨ：antenna subset indicator channel）、共有要求チャネル（ＳＲＥＱＣＨ：shared request channel）、アップリンク物理共有データチャネル（ＵＬ−ＰＳＤＣＨ：uplink physical shared data channel）、ブロードバンドパイロットチャネル（ＢＰＩＣＨ：broadband pilot channel）、物理アップリンク制御チャネル（ＰＵＣＣＨ：physical uplink control channel）および物理アップリンク共有チャネル（ＰＵＳＣＨ：physical uplink shared channel）のうちの少なくとも１つを含み得る。
【００３４】
さらに、様々な開示する実施形態について説明する際に以下の用語および特徴が使用され得る。
【００３５】
３Ｇ                  第３世代（3rd Generation）
３ＧＰＰ              第３世代パートナーシッププロジェクト（3rd Generation Partnership Project）
ＡＣＬＲ              隣接チャネル漏洩比（adjacent channel leakage ratio）
ＡＣＰＲ              隣接チャネル電力比（adjacent channel power ratio）
ＡＣＳ                隣接チャネル選択度（adjacent channel selectivity）
ＡＤＳ                高度設計システム（Advanced Design System）
ＡＭＣ                適応変調コーディング（adaptive modulation and coding）
Ａ−ＭＰＲ            追加最大電力低減（additional maximum power reduction）
ＡＲＱ                自動再送要求（automatic repeat request）
ＢＣＣＨ              ブロードキャスト制御チャネル（broadcast control channel）
ＢＴＳ                送受信基地局（base transceiver station）
ＣＤＤ                巡回遅延ダイバーシティ（cyclic delay diversity）
ＣＣＤＦ              相補累積分布関数（complementary cumulative distribution function）
ＣＤＭＡ              符号分割多元接続（code division multiple access）
ＣＦＩ                制御フォーマットインジケータ（control format indicator）
Ｃｏ−ＭＩＭＯ        協調ＭＩＭＯ（cooperative MIMO）
ＣＰ                  サイクリックプレフィックス（cyclic prefix）
ＣＰＩＣＨ            共通パイロットチャネル（common pilot channel）
ＣＰＲＩ              共通公衆無線インターフェース（common public radio interface）
ＣＱＩ                チャネル品質インジケータ（channel quality indicator）
ＣＲＣ                巡回冗長検査（cyclic redundancy check）
ＤＣＩ                ダウンリンク制御インジケータ（downlink control indicator）
ＤＦＴ                離散フーリエ変換（discrete Fourier transform）
ＤＦＴ−ＳＯＦＤＭ    離散フーリエ変換拡散ＯＦＤＭ（discrete Fourier transform spread OFDM）
ＤＬ                  ダウンリンク（基地局から加入者への送信）
ＤＬ−ＳＣＨ          ダウンリンク共有チャネル（downlink shared channel）
ＤＳＰ                デジタル信号処理（digital signal processing）
ＤＴ                  開発ツールセット（development toolset）
ＤＶＳＡ              デジタルベクトル信号分析（digital vector signal analysis）
ＥＤＡ                電子設計オートメーション（electronic design automation）
Ｅ−ＤＣＨ            拡張専用チャネル（enhanced dedicated channel）
Ｅ−ＵＴＲＡＮ        発展型ＵＭＴＳ地上波無線アクセスネットワーク（evolved UMTS terrestrial radio access network）
ｅＭＢＭＳ            発展型マルチメディアブロードキャストマルチキャストサービス（evolved multimedia broadcast multicast service）
ｅＮＢ                発展型ノードＢ（evolved Node B）
ＥＰＣ                発展型パケットコア（evolved packet core）
ＥＰＲＥ              リソース要素当たりのエネルギー（energy per resource element）
ＥＴＳＩ              欧州電気通信標準化機構（European Telecommunications Standards Institute）
Ｅ−ＵＴＲＡ          発展型ＵＴＲＡ（evolved UTRA）
Ｅ−ＵＴＲＡＮ        発展型ＵＴＲＡＮ（evolved UTRAN）
ＥＶＭ                エラーベクトル振幅（error vector magnitude）
ＦＤＤ                周波数分割複信（frequency division duplex）
ＦＦＴ                高速フーリエ変換（fast Fourier transform）
ＦＲＣ                固定基準チャネル（fixed reference channel）
ＦＳ１                フレーム構造タイプ１（frame structure type 1）
ＦＳ２                フレーム構造タイプ２（frame structure type 2）
ＧＳＭ（登録商標）    広域移動体通信システム（Global system for mobile communication）
ＨＡＲＱ              ハイブリッド自動再送要求（hybrid automatic repeat request）
ＨＤＬ                ハードウェア記述言語（hardware description language）
ＨＩ                  ＨＡＲＱインジケータ（HARQ indicator）
ＨＳＤＰＡ            高速ダウンリンクパケットアクセス（high speed downlink packet access）
ＨＳＰＡ              高速パケットアクセス（high speed packet access）
ＨＳＵＰＡ            高速アップリンクパケットアクセス（high speed uplink packet access）
ＩＦＦＴ              逆ＦＦＴ（inverse FFT）
ＩＯＴ                相互運用性テスト（interoperability test）
ＩＰ                  インターネットプロトコル（internet protocol）
ＬＯ                  局部発振器（local oscillator）
ＬＴＥ                ロングタームエボリューション（Long term evolution）
ＭＡＣ                媒体アクセス制御（medium access control）
ＭＢＭＳ              マルチメディアブロードキャストマルチキャストサービス（multimedia broadcast multicast service）
ＭＢＳＦＮ            マルチキャスト／ブロードキャスト単一周波数ネットワーク（multicast/broadcast over single-frequency network）
ＭＣＨ                マルチキャストチャネル（multicast channel）
ＭＩＭＯ              多入力多出力（multiple input multiple output）
ＭＩＳＯ              多入力単出力（multiple input single output）
ＭＭＥ                モビリティ管理エンティティ（mobility management entity）
ＭＯＰ                最大出力電力（maximum output power）
ＭＰＲ                最大電力低減（maximum power reduction）
ＭＵ−ＭＩＭＯ        マルチユーザＭＩＭＯ（multiple user MIMO）
ＮＡＳ                非アクセス層（non-access stratum）
ＯＢＳＡＩ            オープン基地局アーキテクチャインターフェース（open base station architecture interface）
ＯＦＤＭ              直交周波数分割多重（orthogonal frequency division multiplexing）
ＯＦＤＭＡ            直交周波数分割多元接続（orthogonal frequency division multiple access）
ＰＡＰＲ              ピーク対平均電力比（peak-to-average power ratio）
ＰＡＲ                ピーク対平均値比（peak-to-average ratio）
ＰＢＣＨ              物理ブロードキャストチャネル（physical broadcast channel）
Ｐ−ＣＣＰＣＨ        １次共通制御物理チャネル（primary common control physical channel）
ＰＣＦＩＣＨ          物理制御フォーマットインジケータチャネル（physical control format indicator channel）
ＰＣＨ                ページングチャネル（paging channel）
ＰＤＣＣＨ            物理ダウンリンク制御チャネル（physical downlink control channel）
ＰＤＣＰ              パケットデータコンバージェンスプロトコル（packet data convergence protocol）
ＰＤＳＣＨ            物理ダウンリンク共有チャネル（physical downlink shared channel）
ＰＨＩＣＨ            物理ハイブリッドＡＲＱインジケータチャネル（physical hybrid ARQ indicator channel）
ＰＨＹ                物理層（physical layer）
ＰＲＡＣＨ            物理ランダムアクセスチャネル（physical random access channel）
ＰＭＣＨ              物理マルチキャストチャネル（physical multicast channel）
ＰＭＩ                プリコーディング行列インジケータ（pre-coding matrix indicator）
Ｐ−ＳＣＨ            １次同期信号（primary synchronization signal）
ＰＵＣＣＨ            物理アップリンク制御チャネル（physical uplink control channel）
ＰＵＳＣＨ            物理アップリンク共有チャネル（physical uplink shared channel）。
【００３６】
図２に、様々な実施形態に適応し得る例示的な通信システムのブロック図を示す。図２に示すＭＩＭＯ通信システム２００は、ＭＩＭＯ通信システム２００中の送信機システム２１０（たとえば、基地局またはアクセスポイント）と受信機システム２５０（たとえば、アクセス端末またはユーザ機器）とを備える。基地局が送信機システム２１０と呼ばれ、ユーザ機器が受信機システム２５０と呼ばれるが、図示のように、これらのシステムの実施形態は双方向通信が可能であることを当業者は諒解されよう。その点について、「送信機システム２１０」および「受信機システム２５０」という用語は、いずれかのシステムからの単一の指向性通信を暗示するために使用されるべきでない。また、図２の送信機システム２１０および受信機システム２５０は、各々、図２に明示的に示されていない複数の他の受信機システムおよび送信機システムと通信することが可能であることに留意されたい。送信機システム２１０において、いくつかのデータストリームのトラフィックデータがデータソース２１２から送信（ＴＸ）データプロセッサ２１４に供給される。各データストリームは、それぞれの送信機システムを介して送信され得る。ＴＸデータプロセッサ２１４は、符号化データを与えるために、各データストリームのトラフィックデータを、そのデータストリーム用に選択された特定の符号化方式に基づいてフォーマットし、符号化し、インターリーブする。
【００３７】
各データストリームの符号化データは、たとえば、ＯＦＤＭ技法を使用してパイロットデータで多重化され得る。パイロットデータは、典型的には、知られている方法で処理され、チャネル応答を推定するために受信機システムにおいて使用され得る知られているデータパターンである。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（シンボルマッピング）される。各データストリームのデータレート、符号化、および変調は、送信機システム２１０のプロセッサ２３０によって実行される命令によって判断され得る。
【００３８】
図２の例示的なブロック図では、すべてのデータストリームの変調シンボルはＴＸ  ＭＩＭＯプロセッサ２２０に供給され得、ＴＸ  ＭＩＭＯプロセッサ２２０は、（たとえば、ＯＦＤＭ用に）変調シンボルをさらに処理することができる。次いで、ＴＸ  ＭＩＭＯプロセッサ２２０は、ＮT個の変調シンボルストリームを、ＮT個の送信機システムトランシーバ（ＴＭＴＲ：transmitter system transceiver）２２２ａ〜２２２ｔに供給する。一実施形態では、ＴＸ  ＭＩＭＯプロセッサ２２０は、さらに、データストリームのシンボルと、シンボルが送信されているアンテナとにビームフォーミング重みを適用し得る。
【００３９】
各送信機システムトランシーバ２２２ａ〜２２２ｔは、それぞれのシンボルストリームを受信し、処理して、１つまたは複数のアナログ信号を与え、さらに、それらのアナログ信号を調整して、ＭＩＭＯチャネルを介して送信するのに適した被変調信号を与える。いくつかの実施形態では、調整は、限定はしないが、増幅、フィルタ処理、アップコンバージョンなどの動作を含み得る。次いで、送信機システムトランシーバ２２２ａ〜２２２ｔによって生成された被変調信号は、図２に示す送信機システムアンテナ２２４ａ〜２２４ｔから送信される。
【００４０】
受信機システム２５０では、送信された被変調信号は受信機システムアンテナ２５２ａ〜２５２ｒによって受信され得、受信機システムアンテナ２５２ａ〜２５２ｒの各々からの受信信号は、それぞれの受信機システムトランシーバ（ＲＣＶＲ：receiver system transceiver）２５４ａ〜２５４ｒに供給される。各受信機システムトランシーバ２５４ａ〜２５４ｒは、それぞれの受信信号を調整し、調整された信号をデジタル化して、サンプルを与え、さらにそれらのサンプルを処理して、対応する「受信」シンボルストリームを与え得る。いくつかの実施形態では、調整は、限定はしないが、増幅、フィルタ処理、ダウンコンバージョンなどの動作を含み得る。
【００４１】
次いで、ＲＸデータプロセッサ２６０は、受信機システムトランシーバ２５４ａ〜２５４ｒからシンボルストリームを受信し、特定の受信機処理技法に基づいて処理して、複数の「検出」シンボルストリームを与える。一例では、各検出シンボルストリームは、対応するデータストリームに関して送信されるシンボルの推定値であるシンボルを含むことができる。次いで、ＲＸデータプロセッサ２６０は、少なくとも部分的に、各検出シンボルストリームを復調し、デインターリーブし、復号して、対応するデータストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものであり得る。ＲＸデータプロセッサ２６０は、さらに、処理されたシンボルストリームをデータシンク２６４に供給することができる。
【００４２】
いくつかの実施形態では、チャネル応答推定が、ＲＸデータプロセッサ２６０によって発生され、受信機システム２５０において空間／時間処理を実行し、電力レベルを調整し、変調レートまたは方式を変更し、および／または他の適切なアクションを実行するために使用され得る。さらに、ＲＸデータプロセッサ２６０は、検出シンボルストリームの信号対雑音比（ＳＮＲ）および信号対干渉比（ＳＩＲ）などのチャネル特性をさらに推定することができる。次いで、ＲＸデータプロセッサ２６０は、推定されたチャネル特性をプロセッサ２７０に供給することができる。一例では、受信機システム２５０のＲＸデータプロセッサ２６０および／またはプロセッサ２７０は、システムに関する「動作」ＳＮＲの推定値をさらに導出することができる。受信機システム２５０のプロセッサ２７０はまた、通信リンクおよび／または受信データストリームに関する情報を含み得るチャネル状態情報（ＣＳＩ：channel state information）を与えることができる。たとえば、動作ＳＮＲおよび他のチャネル情報を含み得るこの情報は、たとえば、ユーザ機器のスケジューリング、ＭＩＭＯの設定、変調および符号化の選択などに関して適切な決定を行うために、送信機システム２１０（たとえば、基地局またはｅノードＢ）によって使用され得る。受信機システム２５０において、プロセッサ２７０によって生成されたＣＳＩは、ＴＸデータプロセッサ２３８によって処理され、変調器２８０によって変調され、受信機システムトランシーバ２５４ａ〜２５４ｒによって調整され、送信機システム２１０に返信される。さらに、受信機システム２５０にあるデータソース２３６は、ＴＸデータプロセッサ２３８によって処理される追加のデータを与えることができる。
【００４３】
いくつかの実施形態では、受信機システム２５０にあるプロセッサ２７０はまた、どのプリコーディング行列を使用すべきかを周期的に判断し得る。プロセッサ２７０は、行列インデックス部とランク値部とを備える逆方向リンクメッセージを作成する。逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信し得る、受信機システム２５０にあるＴＸデータプロセッサ２３８によって処理される。処理された情報は、次いで、変調器２８０によって変調され、受信機システムトランシーバ２５４ａ〜２５４ｒのうちの１つまたは複数によって調整され、送信機システム２１０に返信される。
【００４４】
ＭＩＭＯ通信システム２００のいくつかの実施形態では、受信機システム２５０は、空間多重化信号を受信し、処理することが可能である。これらのシステムでは、空間多重化は、送信機システムアンテナ２２４ａ〜２２４ｔ上で異なるデータストリームを多重化し、送信することによって、送信機システム２１０において発生する。これは、複数の送信機システムアンテナ２２４ａ〜２２４ｔから同じデータストリームが送られる送信ダイバーシティ方式の使用とは対照的である。空間多重化された信号を受信し処理することが可能なＭＩＭＯ通信システム２００では、プリコード行列は、送信機システムアンテナ２２４ａ〜２２４ｔの各々から送信される信号が互いから十分に無相関化されることを確実にするために、典型的には、送信機システム２１０において使用される。この無相関化は、特定の受信機システムアンテナ２５２ａ〜２５２ｒに到着するコンポジット信号が受信され得、個々のデータストリームが、他の送信機システムアンテナ２２４ａ〜２２４ｔからの他のデータストリームを搬送する信号の存在下で判断され得ることを確実にする。
【００４５】
ストリーム間の相互相関の量は環境によって影響を受け得るので、受信機システム２５０が、受信信号に関する情報を送信機システム２１０にフィードバックすることが有利である。これらのシステムでは、送信機システム２１０と受信機システム２５０の両方は、いくつかのプリコーディング行列をもつコードブックを含んでいる。これらのプリコーディング行列の各々は、いくつかの例では、受信信号中で受ける相互相関の量に関係し得る。行列中で値ではなく特定の行列のインデックスを送ることが有利であるので、受信機システム２５０から送信機システム２１０に送られるフィードバック制御信号は、典型的には、特定のプリコーディング行列のインデックスを含んでいる。いくつかの事例において、フィードバック制御信号はまた、空間多重化において何個の独立データストリームを使用すべきかを送信機システム２１０に示すランクインデックスを含む。
【００４６】
ＭＩＭＯ通信システム２００の他の実施形態は、上記で説明した空間多重化方式の代わりに送信ダイバーシティ方式を利用するように構成される。これらの実施形態では、同じデータストリームが、送信機システムアンテナ２２４ａ〜２２４ｔ上で送信される。これらの実施形態では、受信機システム２５０に与えられるデータレートは、典型的には、空間多重化ＭＩＭＯ通信システム２００よりも低くなる。これらの実施形態は、通信チャネルのロバストネスおよび信頼性を与える。送信ダイバーシティシステムでは、送信機システムアンテナ２２４ａ〜２２４ｔから送信される信号の各々は、異なる干渉環境（たとえば、フェージング、反射、マルチパス位相シフト）を受けることになる。これらの実施形態では、受信機システムアンテナ２５２ａ〜２５４ｒにおいて受信される異なる信号特性は、適切なデータストリームを判断するのに有用である。これらの実施形態では、ランクインジケータは、典型的には１に設定され、送信機システム２１０に空間多重化を使用しないように伝える。
【００４７】
他の実施形態は、空間多重化と送信ダイバーシティの組合せを利用し得る。たとえば、４つの送信機システムアンテナ２２４ａ〜２２４ｔを利用するＭＩＭＯ通信システム２００では、第１のデータストリームが、送信機システムアンテナ２２４ａ〜２２４ｔのうちの２つの上で送信され、第２のデータストリームが、残りの２つの送信機システムアンテナ２２４ａ〜２２４ｔ上で送信され得る。これらの実施形態では、ランクインデックスは、プリコード行列の全ランクよりも小さい整数に設定され、空間多重化と送信ダイバーシティの組合せを採用することを送信機システム２１０に示す。
【００４８】
送信機システム２１０において、受信機システム２５０からの被変調信号は、送信機システムアンテナ２２４ａ〜２２４ｔによって受信され、送信機システムトランシーバ２２２ａ〜２２２ｔによって調整され、送信機システム復調器２４０によって復調され、ＲＸデータプロセッサ２４２によって処理されて、受信機システム２５０によって送信された予備リンクメッセージを抽出する。いくつかの実施形態では、送信機システム２１０のプロセッサ２３０は、次いで、将来の順方向リンク送信にどのプリコーディング行列を使用すべきかを判断し、次いで、抽出されたメッセージを処理する。他の実施形態では、プロセッサ２３０は、将来の順方向リンク送信のためのビームフォーミング重みを調整するために受信信号を使用する。
【００４９】
他の実施形態では、報告されたＣＳＩは、たとえば、１つまたは複数のデータストリームのために使用されるべきデータレートならびに符号化および変調方式を判断するために、送信機システム２１０のプロセッサ２３０に供給され、使用され得る。判断された符号化および変調方式は、次いで、受信機システム２５０への後の送信における量子化および／または使用のために送信機システム２１０にある１つまたは複数の送信機システムトランシーバ２２２ａ〜２２２ｔに供給され得る。追加および／または代替として、報告されたＣＳＩは、ＴＸデータプロセッサ２１４およびＴＸ  ＭＩＭＯプロセッサ２２０のための様々な制御を発生するために送信機システム２１０のプロセッサ２３０によって使用され得る。一例では、送信機システム２１０のＲＸデータプロセッサ２４２によって処理されるＣＳＩおよび／または他の情報は、データシンク２４４に供給され得る。
【００５０】
いくつかの実施形態では、送信機システム２１０にあるプロセッサ２３０および受信機システム２５０にあるプロセッサ２７０は、それらのそれぞれのシステムにおいて動作を指示し得る。さらに、送信機システム２１０にあるメモリ２３２および受信機システム２５０にあるメモリ２７２は、それぞれ送信機システムプロセッサ２３０および受信機システムプロセッサ２７０によって使用されるプログラムコードおよびデータの記憶域を与えることができる。さらに、受信機システム２５０において、ＮR個の受信信号を処理して、ＮT個の送信シンボルストリームを検出するために、様々な処理技法が使用され得る。これらの受信機処理技法は、等化技法を含むことができる空間および時空間受信機処理技法、「逐次ヌル化／等化および干渉消去」受信機処理技法、および／または「逐次干渉消去」もしくは「逐次消去」受信機処理技法を含むことができる。
【００５１】
ＬＴＥシステムでは、物理ダウンリンク共有チャネル（ＰＤＳＣＨ）は、データおよびシグナリング情報をユーザ機器に搬送し、物理ダウンリンク制御チャネル（ＰＤＣＣＨ）は、ダウンリンク制御情報（ＤＣＩ）として知られているメッセージを搬送する。ＤＣＩは、ダウンリンクスケジューリング割当て、アップリンクリソース許可、送信方式、アップリンク電力制御、ハイブリッド自動再送要求（ＨＡＲＱ）情報、変調および符号化方式（ＭＣＳ）および他の情報に関する情報を含む。ＤＣＩは、ＵＥ固有（専用）またはセル固有（共通）とすることができ、ＤＣＩのフォーマットに応じてＰＤＣＣＨ内の異なる専用および共通探索空間に配置され得る。ユーザ機器は、ＤＣＩが検出されるまで探索空間中で複数の復号試みが実行される、ブラインド復号として知られるプロセスを実行することによってＤＣＩを復号しようと試みる。
【００５２】
ＤＣＩメッセージのサイズは、ＤＣＩによって搬送される情報のタイプおよび量に応じて異なることができる。たとえば、空間多重化がサポートされる場合、ＤＣＩメッセージのサイズは、連続周波数割当てが行われるシナリオに比較してより大きくなる。同様に、ＭＩＭＯを採用するシステムの場合、ＤＣＩは、ＭＩＭＯを利用しないシステムには不要である追加のシグナリング情報を含まなくてはならない。したがって、ＤＣＩは、異なる構成に適した異なるフォーマットにカテゴリー化されている。表１に、ＬＴＥ  Ｒｅｌ−８仕様の一部として記載されるＤＣＩフォーマットを要約する。開示する実施形態はまた、他のＤＣＩフォーマットおよび／またはサイズに関連して実装され得ることに留意されたい。
【表１】
0005623534.tif 000002
【００５３】
ＤＣＩフォーマットのサイズは、ＤＣＩメッセージ内で搬送される情報の量だけでなく、送信帯域幅、アンテナポートの数、ＴＤＤまたはＦＤＤ動作モードなどの他のファクタにも依存する。たとえば、異なるＤＣＩフォーマットに対して表１に記載されている例示的なサイズは、１０ＭＨｚの帯域幅に対応する、５０個のリソースブロックのシステム帯域幅、ＦＤＤ、およびｅノードＢにある４つのアンテナに関連する。
【００５４】
ユーザ機器におけるＤＣＩメッセージの復号を簡略化するために、ＬＴＥ  Ｒｅｌ−８仕様はまた、（アップリンク許可に使用される）ＤＣＩフォーマット０と（ダウンリンクリソース割当てに使用される）ＤＣＩフォーマット１Ａとが常に同じサイズであることを必要とする。ただし、ＤＣＩフォーマット０中とＤＣＩフォーマット１Ａ中とで異なる情報フィールド、たとえば、アップリンクチャネルとダウンリンクチャネルとの間の帯域幅差によって、フォーマット０ＤＣＩメッセージのサイズとフォーマット１Ａ  ＤＣＩメッセージのサイズとが異なることがある。したがって、ＤＣＩフォーマット０とＤＣＩフォーマット１Ａのサイズが異なる状況において、同じＤＣＩメッセージサイズを生成するために、２つのうちで小さいほうが、０でパディングされる。フォーマット０ＤＣＩメッセージとフォーマット１Ａ  ＤＣＩメッセージとを区別するために、フォーマット０またはフォーマット１Ａのいずれかの存在をシグナリングする単一ビットが両方のフォーマット中に供給される。
【００５５】
いくつかのシステムでは、誤り検出のためにＤＣＩメッセージに巡回冗長検査（ＣＲＣ）ビットも付加されることに留意されたい。次いで、符号化されたＤＣＩビットは、ＤＣＩフォーマットに従って制御チャネル要素（ＣＣＥ：control channel element）にマッピングされる。ＰＤＣＣＨは、複数のユーザ機器に関連するＤＣＩメッセージを搬送することができる。したがって、特定のユーザ機器は、その特定のユーザ機器に向けられているＤＣＩメッセージを認識することが可能でなければならない。そのために、ユーザ機器に、そのユーザ機器に関連するＤＣＩの検出を可能にするある識別子（たとえば、セル無線ネットワーク一時識別子（Ｃ−ＲＮＴＩ：cell radio network temporary identifier））が割り当てられる。シグナリングオーバーヘッドを低減するために、各ＤＣＩペイロードにアタッチされたＣＲＣビットは、特定のユーザ機器に関連する識別子（たとえば、Ｃ−ＲＮＴＩ）および／またはユーザ機器のグループに関連する識別子を用いてスクランブル（たとえば、マスキング）される。「ブラインド復号」として知られている動作では、ユーザ機器は、その一意の識別子を使用して潜在的なＤＣＩメッセージすべてをデスクランブル（またはデマスキング（de-mask））し、ＤＣＩペイロード上でＣＲＣチェックを実行することができる。ＣＲＣチェックがパスした場合、制御チャネルのコンテンツはユーザ機器に対して有効であると宣言され、次いで、そのユーザ機器は、ＤＣＩを処理することができる。
【００５６】
ユーザ機器における電力消費およびオーバーヘッドを低減するために、制御チャネル要素（ＣＣＥ）ロケーションの限定されたセットが指定され得、ＣＣＥロケーションのセットは、特定のＵＥに関連するＤＣＩペイロードが配置され得るロケーションを含む。ＬＴＥ  Ｒｅｌ−８では、ＣＣＥは、９つの論理的に連続するリソース要素グループ（ＲＥＧ）からなり、各ＲＥＧは、４つのリソース要素（ＲＥ）を含んでいる。各ＲＥは、１つの周波数時間単位である。ＣＣＥは、ＤＣＩフォーマットとシステム帯域幅とに応じて異なるレベル（たとえば、１、２、４および８）でアグリゲートされ得る。ユーザ機器がその対応するＤＣＩメッセージを見つけることができるＣＣＥロケーションのセットは、探索空間と見なされる。探索空間は、共通ＣＣＥ領域または探索空間と、ＵＥ固有（専用）ＣＣＥ領域または探索空間との２つの領域に区分され得る。共通ＣＣＥ領域は、ｅノードＢによってサービスされるすべてのＵＥによって監視され、ページング情報、システム情報、ランダムアクセス手順などの情報を含むことができる。ＵＥ固有ＣＣＥ領域は、ユーザ固有の制御情報を含み、ユーザ機器ごとに個別に構成される。
【００５７】
図３に、共通探索空間３０４とＵＥ固有探索空間３０６とに分割される、ＰＤＣＣＨ３０２上の例示的な探索空間３００を示す。簡単のために、図３の例示的な探索空間３０２は、３２個の論理的に連続するＣＣＥブロックの集合として示されているが、開示する実施形態は、異なる数のＣＣＥを使用して実装され得ることに留意されたい。各ＣＣＥは、不連続ロケーション中に固定数のリソース要素を含んでいる。代替的に、ＣＣＥは、１つまたは複数のダウンリンク制御チャネルのリソースブロック内の不連続ロケーションに配置され得る。さらに、共通探索空間３０４およびＵＥ固有探索空間３０６は重複ＣＣＥにわたり得る。ＣＣＥは連続的に番号付けされる。共通探索空間は常にＣＣＥ０から開始するが、ＵＥ固有探索空間は、ＵＥ  ＩＤ（たとえば、Ｃ−ＲＮＴＩ）、サブフレームインデックス、ＣＣＥアグリゲーションレベルおよび他のランダムシードに依存する開始ＣＣＥインデックスを有する。
【００５８】
ＬＴＥ  Ｒｅｌ−８システムでは、ＰＤＣＣＨのために利用可能な、ＮCCEによって示されるＣＣＥの数は、システム帯域幅、制御領域のサイズ、および他の制御信号の構成などに基づいて判断され得る。共通探索空間のためのＣＣＥのセットは、０からｍｉｎ｛１６，ＮCCE−１｝にわたる。すべてのＵＥについて、ＵＥ固有探索空間のためのＣＣＥのセットは、共通探索空間のためのＣＣＥのセットのスーパーセットである、０からＮCCE−１にわたる。特定のＵＥについて、そのＵＥのためのＣＣＥのセットは、構成された識別子および他のファクタに応じて、ＣＣＥ０からＣＣＥ  ＮCCE−１の範囲内の全セットのサブセットである。図３の例では、ＮCCE＝３２である。
【００５９】
図３の探索空間３０２などの探索空間のサイズまたはＣＣＥロケーションのセットはアグリゲーションレベルに基づき得る。先に説明したように、ＤＣＩメッセージのサイズはＤＣＩフォーマットと送信帯域幅とに依存し得る。アグリゲーションレベルは、単一のＤＣＩペイロードを伝達するために利用される論理的または物理的連続ＣＣＥの数を指定する。共通探索空間は、レベル４（たとえば、４つのＣＣＥ）およびレベル８（たとえば、８つのＣＣＥ）の２つの可能なアグリゲーションレベルを含むことができる。いくつかのシステムでは、ユーザ機器によって実行されなければならない計算を低減するために、共通探索空間のアグリゲーションレベル４が、最大４つのＤＣＩロケーションに適応するように構成され得る。同様に、共通探索空間のアグリゲーションレベル８が、最大２つのＤＣＩロケーションに適応するように構成され得る。図４に、４つのアグリゲーションレベル４候補４０４と２つのアグリゲーションレベル８候補４０６とに適応するように構成された、ＰＤＣＣＨ４０２上の共通探索空間４００の例示的な図を与える。したがって、図４の例示的な図では共通探索空間４００中に合計６つの候補がある。
【００６０】
ＵＥ固有探索空間は、それぞれ１つ、２つ、４つおよび８つのＣＣＥに対応する１、２、４または８の４つのアグリゲーションレベルを含むように構成され得る。図５に、６つのアグリゲーションレベル１候補５０４と、６つのアグリゲーションレベル２候補５０６と、２つのアグリゲーションレベル４候補５０８と、２つのアグリゲーションレベル８候補５１０とに適応するように構成された、ＰＤＣＣＨ５０２上のＵＥ固有探索空間５００の例示的な図を与える。したがって、図５の例示的な図ではＵＥ固有探索空間５００中に合計１６個の候補がある。
【００６１】
図５の例では、４つのアグリゲーションレベルのための開始ＣＣＥインデックスが異なり、ＬＴＥ  Ｒｅｌ−８において使用されるいわゆる「ツリー構造」に従うことに留意されたい。すなわち、アグリゲーションレベルＬについて、開始ＣＣＥインデックスは常にＬの整数倍となる。各アグリゲーションレベル内で、探索空間は論理的に連続する。各アグリゲーションレベルのための開始ＣＣＥインデックスは時間（すなわち、サブフレーム番号）にも依存し得る。他の企図される実施形態では、各アグリゲーションレベルのための開始ＣＣＥインデックスは同じまたは異なることがあり得る。
【００６２】
さらに、前に説明したように、所与のＵＥについて、ＵＥ固有探索空間はセット｛０、ＮCCE−１｝のサブセットであり、ＮCCEは、利用可能なＣＣＥの総数である。図３に示す例では、ＮCCE＝３２である。たとえば、「ツリー構造」と、異なるアグリゲーションレベルについて潜在的に異なる開始ＣＣＥインデックスとのために、サブフレーム中で、ＵＥは、アグリゲーションレベル１についての開始ＣＣＥインデックスとしてＣＣＥ９を、アグリゲーションレベル２についてはＣＣＥ１８を、アグリゲーションレベル４についてはＣＣＥ４を、アグリゲーションレベル８についてはＣＣＥ８を有し得る。各アグリゲーションレベルについてのＵＥ固有探索空間は連続するので、ＵＥのためのアグリゲーションレベル４についての２つの候補はＣＣＥ｛４、５、６、７｝およびＣＣＥ｛８、９、１０、１１｝となる。図４の共通探索空間４００および図５のＵＥ固有探索空間５００は、開示する実施形態に関連する基礎をなす概念の理解を可能にするために与えられていることにさらに留意されたい。したがって、候補ロケーションの数と構成とが異なる共通探索空間およびＵＥ固有探索空間が、開示する実施形態に従って構成および使用され得ることを理解されたい。
【００６３】
共通探索空間およびＵＥ固有探索空間中の各候補は、可能なＤＣＩ送信を表す。たとえば、ＤＣＩが特定のユーザ機器のためのものである場合、ＣＲＣは、セル無線ネットワーク一時識別子（Ｃ−ＲＮＴＩ）を用いてマスキングされ得る。たとえば、ＤＣＩがページング情報またはシステム情報を含んでいる場合、ＣＲＣは、ページングＲＮＴＩ（Ｐ−ＲＮＴＩ：paging RNTI）またはシステム情報ＲＮＴＩ（ＳＩ−ＲＮＴＩ：system-information RNTI）を用いてマスキングされる。他の例では、ＣＲＣをマスキングするために追加のＲＮＴＩまたは他のコードが使用され得る。先に説明したように、ユーザ機器は、制御情報のロケーションを発見するためにブラインド復号を行う。たとえば、図５に示す例示的なＵＥ固有探索空間５００では、ユーザ機器は、ＵＥ固有候補ロケーション５０４、５０６、５０８、５１０（もしあれば）のいずれがそのユーザ機器に関連するＤＣＩ情報を含んでいるかを判断するために最高１６回まで復号試みを行い得る。追加のＲＮＴＩ、ＤＣＩフォーマットおよび複数のＰＤＣＣＨ候補のために追加の復号試みが必要とされ得る。
【００６４】
いくつかの実施形態では、ＤＣＩブラインド復号の数は、半静的な方法でいくつかの送信モードのうちの１つで動作するように（たとえば、ＲＲＣシグナリングを使用する上位レイヤを介して）各ユーザ機器を構成することによって制限され得る。表２に、異なる送信モードの例示的なリストを与える。開示する実施形態はまた、表２に記載されていない他の送信モードに関連して実装され得ることに留意されたい。
【表２】
0005623534.tif 000003
【００６５】
一実施形態では、各送信モードは、異なるサイズの２つのダウンリンクＤＣＩフォーマットに関連され得、２つのダウンリンクＤＣＩフォーマットのうちの１つは常にＤＣＩフォーマット１Ａである。この例では、ＤＣＩフォーマット０および１Ａは、（たとえば、上記で説明したように、必要な場合、ゼロパディングを介して）同じサイズになることを強制され得る。したがって、各送信モードは、一方がフォーマット０／１Ａに対応し、他方が別のＤＣＩフォーマットに対応する、最大２つの関連するＤＣＩフォーマットサイズを有する。図３〜５に示す共通探索空間およびユーザ固有探索空間を使用して、ブラインド復号の最大数は、（２つのＤＣＩサイズ）×（６＋１６個の探索候補）＝４４として計算され得る。別の実施形態では、ＵＬ  ＭＩＭＯをサポートするために、第３のＤＣＩフォーマットサイズがＵＥ固有探索空間中に導入され得、したがって、ブラインド復号の最大数は（２つのＤＣＩサイズ）×６＋（３つのＤＣＩサイズ）×１６＝６０になる。復号試みの最大数は、ＮDCI＝（ＤＣＩサイズの総数）×（探索候補の数）として一般化され得ることに留意されたい
表３に、７つの送信モードと関連するＤＣＩフォーマットとの例示的なリストを与える。表３のリストは、基礎をなす概念の理解を可能にするために与えられているにすぎないことに留意されたい。しかしながら、開示する実施形態は、アップリンク送信とダウンリンク送信の両方に関連する追加の送信モードおよび／またはＤＣＩフォーマット構成に等しく適用可能である。
【表３】
0005623534.tif 000004
【００６６】
表３の例示的なリストでは、ＤＣＩフォーマット０および１Ａ（両方とも同じサイズを有する）は、すべての送信モードに可能なＤＣＩフォーマットのうちの１つとして常に選択される。ただし、各送信モードは、送信モードに基づいて変化することができる別のＤＣＩフォーマットにも関連する。たとえば、ＤＣＩフォーマット２Ａは送信モード３に関連し得、ＤＣＩフォーマット１Ｂは送信モード６に関連し得、ＤＣＩフォーマット１は送信モード１、２および７に関連し得る。さらに、表３のリストに、送信モードのうちの２つ以上が同じＤＣＩフォーマットを有することができることを示す。たとえば、表３の例示的なリストでは、送信モード１、２および７はすべて、ＤＣＩフォーマット０／１ＡおよびＤＣＩフォーマット１に関連する。
【００６７】
ブラインド復号方式に関連する復号の数は、多重コンポーネントキャリア（ＣＣ：component carrier）が使用されるシステムにおいて増加することがある。いくつかのシステムでは、全システム帯域幅を増やすために、複数のキャリアが使用され得る。たとえば、２つの１０ＭＨｚのコンポーネントキャリアと４つの２０ＭＨｚのコンポーネントキャリアとは、ＬＴＥシステムの帯域幅を１００ＭＨｚに拡大するためにアグリゲートされ得る。そのようなコンポーネントキャリアは、スペクトルの連続部分にわたるか、またはスペクトルの不連続部分上に常駐し得る。
【００６８】
図６に、開示する実施形態に従って使用され得るシステム６００を示す。システム６００は、発展型ノードＢ（ｅＮＢ）６２０（たとえば、基地局、アクセスポイントなど）と通信することができるユーザ機器６１０と、１つまたは複数のコンポーネントキャリア１〜Ｎ（ＣＣ1−ＣＣN）とを含むことができる。図６には、ただ１つのユーザ機器６１０および１つのｅＮＢ６２０を示しているが、システム６００は、任意の数のユーザ機器６１０および／またはｅＮＢ６２０を含むことができることを諒解されたい。ｅＮＢ６２０は、コンポーネントキャリアＣＣ1〜ＣＣN上の順方向（ダウンリンク）チャネル６３２〜６４２を介してユーザ機器６１０に情報を送信することができる。さらに、ユーザ機器６１０は、コンポーネントキャリアＣＣ1〜ＣＣN上の逆方向（アップリンク）チャネル６３４〜６４４を介してｅＮＢ６２０に情報を送信することができる。図６ならびに開示する実施形態のいくつかに関連する他の図の様々なエンティティについて説明する際、説明の目的で、３ＧＰＰ  ＬＴＥまたはＬＴＥ−Ａワイヤレスネットワークに関連する名称が使用される。ただし、システム６００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００６９】
ＬＴＥ−Ａベースのシステムでは、ユーザ機器６１０は、より広い全送信帯域幅を可能にするためにｅＮＢ６２０によって利用される多重コンポーネントキャリアで構成され得る。図６に示すように、ユーザ機器６１０は、Ｎを１以上の整数として、「コンポーネントキャリア１」６３０〜「コンポーネントキャリアＮ」６４０で構成され得る。図６に２つのコンポーネントキャリアを示すが、ユーザ機器６１０は、任意の好適な数のコンポーネントキャリアで構成され得、したがって、本明細書および特許請求の範囲で開示する主題は２つのコンポーネントキャリアに限定されないことを諒解されたい。一例では、多重コンポーネントキャリアのいくつかは、ＬＴＥ  Ｒｅｌ−８キャリアとすることができる。したがって、コンポーネントキャリアのいくつかは、レガシー（たとえば、ＬＴＥ  Ｒｅｌ−８ベースの）ユーザ機器にはＬＴＥ  Ｒｅｌ−８キャリアとして見えることができる。コンポーネントキャリア６３０〜６４０は、それぞれのダウンリンク６３２〜６４２ならびにそれぞれのアップリンク６３４〜６４４を含むことができる。
【００７０】
マルチキャリア動作中、異なるユーザ機器に関連するＤＣＩメッセージは、複数のコンポーネントキャリア上で搬送され得る。たとえば、ＰＤＣＣＨ上のＤＣＩは、ＰＤＳＣＨ送信のためにユーザ機器によって使用されるように構成された同じコンポーネントキャリア上に含まれ得る（すなわち、同一キャリアシグナリング）。代替または追加として、ＤＣＩは、ＰＤＳＣＨ送信ために使用されるターゲットコンポーネントキャリアとは異なるコンポーネントキャリア上で搬送され得る（すなわち、クロスキャリアシグナリング）。たとえば、図６を参照すると、「コンポーネントキャリア１」６３０上でのダウンリンク割当ては、「コンポーネントキャリアＮ」６４０上のＰＤＣＣＨを介してユーザ機器６１０に示され得る。クロスキャリアシグナリングは、たとえば、ダウンリンク制御シグナリング構造の時分割多重（ＴＤＭ：time division multiplex）性質のために、コンポーネントキャリアのいくつかが周波数依存伝搬および／または干渉特性のために信頼できない制御情報送信を有することがある異種ネットワークの動作を可能にする。したがって、いくつかの例では、近隣セルからの強い干渉のために、制御情報の送信は、有利には、干渉がより少ない異なるコンポーネントキャリア上で搬送され得る。他の例では、コンポーネントキャリアのいくつかは、後方互換性がないことがあり、または制御情報を搬送しないことさえあり得る。したがって、制御シグナリングを与えるために、異なるコンポーネントキャリアが使用され得る。
【００７１】
いくつかの実施形態では、半静的に有効化され得るキャリアインジケータフィールド（ＣＩＦ：carrier indicator field）は、ＰＤＳＣＨ送信のためにターゲットキャリア以外のキャリアからのＰＤＣＣＨ制御シグナリングの送信を可能にするために、一部または全部のＤＣＩフォーマット中に含まれ得る（クロスキャリアシグナリング）。一例では、キャリアインジケータフィールドは、多重コンポーネントキャリアを利用するシステム中で特定のコンポーネントキャリアを識別する１〜３ビットを備える。別の例では、キャリアインジケータフィールドは、多重コンポーネントキャリアを利用するシステム中で特定のコンポーネントキャリアを識別する固定の３ビットを備える。概して、キャリアインジケータ（ＣＩ）がＵＥ固有の場合、必要とされるＣＩＦビットの数は、ｃｅｉｌｉｎｇ［ｌｏｇ2（ＮUE）］によって与えられ、ＮUEは、ＵＥごとに構成されるキャリアの数である。ＣＩがセル固有である（すなわち、セル中のすべてのＵＥに共通する）場合、ＣＩＦをサポートするのに必要なビット数は、ｃｅｉｌｉｎｇ［ｌｏｇ2（Ｍ）］によって与えられ、Ｍは、セルのために構成されたキャリアの数である。ＤＣＩの一部としてキャリアインジケータフィールドを含めることにより、コンポーネントキャリアを別のコンポーネントキャリアとリンクすることが可能になる。
【００７２】
図７に、一実施形態における通信システム７００を示す。図７では、通信システム７００は、高度ユーザ機器（ＵＥ）７０４のための多重キャリア動作をスケジュールし、サポートするサービング発展型ベースノード（ｅＮＢ）７０２として示されているノードを含む。いくつかの例では、ｅＮＢ７０２は、レガシーＵＥ７０６のためのシングルキャリア動作をサポートすることもできる。高度ＵＥ７０４のために、サービングｅＮＢ７０２は、第２のキャリア７１８上の第２のチャネル７１６の割当てまたは許可７１４をスケジュールするための、第１のキャリア７１２上の第１のチャネル７１０上のキャリア指示（ＣＩ：Carrier Indication）７０８を符号化する。第１の例では、ＣＩ７０８によって示される第２のキャリア７１８上に２つ以上のアップリンクチャネル（すなわち、第２のチャネル）７２０がある。第２の例では、ＣＩ７０８によって示される第２のキャリア７１８上に第２のダウンリンクチャネル７２２がある。
【００７３】
一態様では、サービングｅＮＢ７０２は、受信機７２３と、送信機７２４と、コンピューティングプラットフォーム７２６と、エンコーダ７２８とを使用して、多重キャリアワイヤレス通信においてクロスキャリア割当てを実行する。コンピューティングプラットフォーム７２６は、ユーザ固有のコード７３０にアクセスし、第２のキャリア７１８上の２つ以上のアップリンクチャネル７２０または第２のダウンリンクチャネル７２２のためのＣＩ７０８に従って割当てまたは許可７１４を生成する。エンコーダ７２８は、ユーザ固有のコード７３０を使用してユーザ固有探索空間７３２のうちの少なくとも１つと共通探索空間７３４とを符号化して、ＣＩ７０８を与える。送信機７２４は、割当てまたは許可７１４を含んでいる、第１のキャリア７１２上の第１のチャネル７１０を送信する。
【００７４】
同様に、高度ＵＥ７０４は、受信機７４３と、送信機７４４と、コンピューティングプラットフォーム７４６と、デコーダ７４８とを使用して、多重キャリアワイヤレス通信においてクロスキャリア割当てを処理する。コンピューティングプラットフォーム７４６は、ユーザ固有のコード７５０にアクセスする。受信機７４２は、第１のキャリア７１２上で第１のチャネル７１０を受信する。デコーダ７４８は、ユーザ固有のコード７５０を使用してユーザ固有探索空間７３２のうちの少なくとも１つと共通探索空間７３４とを復号して、ＣＩ７０８を検出する。送信機７４４または受信機７４２は、ＣＩ７０８に従って第１のキャリア７１２上の第１のチャネル７１０の割当てまたは許可７１４を利用する。
【００７５】
例示的な一実装形態では、ＬＴＥ−Ａはマルチキャリア動作をサポートする。ＵＥは複数のキャリアで構成され得る。異なるキャリアは異なる干渉レベルを受け得る。また、いくつかのキャリアはレガシーＵＥ（たとえば、ＬＴＥ  Ｒｅｌ−８）デバイスと後方互換性がないことがあり、いくつかのキャリアは制御情報を搬送しないことさえあり得る。したがって、１つのキャリアが異なるキャリア上でＰＤＣＣＨスケジューリングＰＤＳＣＨ送信を送信することができるように、クロスキャリア制御シグナリングを有することが望ましいことがある。
【００７６】
図７のシステムによって対処される１つの問題は、ＣＩＦがユニキャストトラフィックのみに適用されるのか、ブロードキャストトラフィックのみに適用されるのか、またはユニキャストトラフィックとブロードキャストトラフィックの両方に適用されるかどうかを含む、ｅＮＢ７０２におけるキャリアインジケータフィールドの実装と、ＤＣＩフォーマット１Ａが、共通探索空間とＵＥ固有探索空間の両方に存在し、ユニキャストトラフィックとブロードキャストトラフィックの両方をスケジュールするために使用され得るいくつかのシステムに鑑みて、クロスキャリアシグナリングのためのＤＣＩフォーマットの設計に対する影響とに関係する。ユニキャストトラフィックは、ｅＮＢ７０２とＵＥ７０４、７０６のうちの１つとの間のポイントツーポイント送信である。ブロードキャストトラフィックは、ｅＮＢ７０２と複数のＵＥ７０４、７０６との間のダウンリンク専用ポイントツーマルチポイント接続である。
【００７７】
一実施形態（オプションＩ）では、ｅＮＢ７０２は、ＬＴＥ  Ｒｅｌ−８ＤＣＩフォーマットをＣＩＦビットで延長することによってクロスキャリア動作をシグナリングし得る。ｅＮＢ７０２は、ＵＥ固有探索空間中のＤＣＩフォーマットのみにＣＩＦを適用し、それを特定のダウンリンク送信モードのために構成された両方のダウンリンクＤＣＩフォーマットと、アップリンクスケジューリングのためのＤＣＩフォーマット０との両方とともに使用することができる。これは、新しいダウンリンクＤＣＩフォーマットの１Ａ＋他の１つと新しいＤＣＩフォーマット０とを定義することを含み得る。新しいＤＣＩフォーマットは、１Ａ’（１Ａプライム）、１Ｂ’、１Ｄ’、２’、２Ａ’および０’と指定され得る。したがって、この実施形態では、共通探索空間は、ＤＣＩフォーマット１Ａ／０および１Ｃを使用し、ＵＥ固有探索空間は、新しいＤＣＩフォーマット１Ａ’／０’および１Ｂ’／１Ｄ’／２’／２Ａ’を使用する。また、同じ設計が、デュアルレイヤビームフォーミングをサポートするＤＣＩ２Ｂ、ＵＬ  ＭＩＭＯ動作をサポートする（１つまたは複数の）新しいＤＣＩフォーマットなど、ＵＥ固有探索空間中のいずれかの他のＤＣＩフォーマットに適用され得ることに留意されたい。以下で説明する他の実施形態は、ＵＥ固有探索空間中のいずれかの他のＤＣＩフォーマットにも適用可能であり得る。
【００７８】
この実施形態では、ＣＩＦは共通探索空間中に含まれないので、３つのＤＣＩフォーマット１Ａ／０および１Ｃは、そのまま（すなわち、ＬＴＥ  Ｒｅｌ−８互換）であることができ、シングルキャリアブロードキャストトラフィックのために使用され得、ＤＣＩフォーマット１Ａ’および０’は、クロスキャリアユニキャストトラフィックのために使用され得る。このオプションは、ＤＣＩフォーマットを介したブロードキャストトラフィックのためのクロスキャリアシグナリングをサポートしないが、そのようなシグナリングは、システム情報ブロック（ＳＩＢ：System Information Block）またはマスタ情報ブロック（ＭＩＢ：Master Information Block）が１つまたは複数の他のキャリアのための情報を含むように再設計することによって、あるいは専用のレイヤ３（ＲＲＣ）シグナリングによって解決され得る。
【００７９】
第１の実施形態の変形形態（オプションＩＡ）では、ＤＣＩフォーマットをＣＩＦで延長するのではなく、ｅＮＢ７０２は、ページングＲＮＴＩ（Ｐ−ＲＮＴＩ）ベース、システム情報ＲＮＴＩ（ＳＩ−ＲＮＴＩ）ベースまたはランダムアクセスＲＮＴＩ（ＲＡ−ＲＮＴＩ：Random Access RNTI）ベースのスクランブルコードによってスクランブルされるときなど、キャリア指示のためのＤＣＩフォーマット１Ａ中の予約済みビットが必要ないとき、それらを再使用し得る。たとえば、ハイブリッド自動再送要求（ＨＡＲＱ）プロセス番号および／またはダウンリンク割当てインデックス（ＴＤＤのみ）は、ＣＩＦを埋め込むために使用され得る、ＬＴＥ  Ｒｅｌ−８における予約済みビットである。したがって、ＤＣＩフォーマット１Ａ’は、フォーマット１Ａと同じサイズを有し得るが、依然としてブロードキャストトラフィックのためのクロスキャリアシグナリングを可能にし得る。以下で説明する他の実施形態に同じＤＣＩフォーマット設計原理（すなわち、組込みＣＩＦ）が、適用され得る。
【００８０】
別の実施形態（オプションＩＩ）では、ｅＮＢ７０２は、ＵＥ固有探索空間と共通探索空間の両方にＣＩＦを適用し得る。この場合、ＣＩＦは、共通探索空間中のＤＣＩフォーマット１Ａ、０および１Ｃと、特定の送信モードのために構成された両方のダウンリンクＤＣＩフォーマットと、ＵＥ固有探索空間中のアップリンクスケジューリングのためのＤＣＩフォーマット０とに適用される。関係するＤＣＩフォーマット１Ａおよび１つの他のフォーマットとＤＣＩフォーマット０とは、ＣＩＦビットによって（上記で説明したように延長するか組み込むことによって）変更され、その結果、フォーマット１Ａ’、１Ｂ’／１Ｄ’／２’／２Ａ’、１Ｃ’および０’を生じる。したがって、共通探索空間は、ＤＣＩフォーマット１Ａ’／０’および１Ｃ’を使用し、ＵＥ固有探索空間は、上記のオプションＩの場合と同じＤＣＩフォーマット（１Ａ’／０’、１Ｂ’／１Ｄ’／２’／２Ａ’）を使用する。
【００８１】
オプションＩと比較して、オプションＩＩの実施形態は、ＵＥが、ユニキャストトラフィックとブロードキャストトラフィックの両方について共通探索空間とＵＥ固有探索空間の両方中でクロスキャリアシグナリングを有する。ただし、オプションＩＩの実施形態は、ブロードキャストトラフィックを搬送するためのＤＣＩフォーマット１Ａおよび１Ｃへの変更を含むので、ＬＴＥ  Ｒｅｌ−８と後方互換性がない。
【００８２】
別の実施形態（オプションＩＩＩ）では、ｅＮＢ７０２は、ＵＥ固有探索空間と共通探索空間の両方にＣＩＦを適用し得るが、ＣＩＦの使用を共通探索空間中のＤＣＩフォーマット１Ａ／０に制限し得る（ＣＩＦはＤＣＩフォーマット１Ｃに適用されない）。オプションＩＩの実施形態の場合と同様に、ＣＩＦは、ＵＥ固有探索空間中で、特定のダウンリンク送信モードのために構成された両方のダウンリンクＤＣＩフォーマットと、アップリンクスケジューリングのためのＤＣＩフォーマット０とに適用され得る。関係するＤＣＩフォーマット１Ａおよび１つの他のフォーマットと、ＤＣＩフォーマット０とは、ＣＩＦビットによって（延長するか組み込むことによって）変更され、その結果、フォーマット１Ａ’、１Ｂ’／１Ｄ’／２’／２Ａ’および０’を生じる。ＤＣＩフォーマット１Ｃは変更されない。したがって、共通探索空間は、ＤＣＩフォーマット１Ａ’および１Ｃを含み、ＵＥ固有探索空間中で使用されるＤＣＩフォーマットは、オプションＩおよびＩＩ（すなわち、１Ａ’／０’、１Ｂ’／１Ｄ’／２’／２Ａ’）の場合と同じである。
【００８３】
オプションＩおよびＩＩと比較して、オプションＩＩＩの実施形態は、ＵＥが、ユニキャストトラフィックとブロードキャストトラフィックの両方について共通探索空間とＵＥ固有探索空間の両方中でクロスキャリアシグナリングを有する（ＤＣＩフォーマット１Ａのみを使用する）。また、オプションＩＩＩの実施形態は、そのままであるＤＣＩフォーマット１Ｃを介してＬＴＥ  Ｒｅｌ−８と後方互換性がある。
【００８４】
別の実施形態（オプションＩＶ）では、ｅＮＢ７０２は、ＵＥ固有探索空間と共通探索空間の両方中のＤＣＩフォーマット、すなわち、共通探索空間中のＤＣＩフォーマット１Ａ、０および１Ｃと、特定のダウンリンク送信モードのために構成された両方のダウンリンクＤＣＩフォーマットと、ＵＥ固有探索空間中のアップリンクスケジューリングのためのＤＣＩフォーマット０とにＣＩＦを適用し得る。ＤＣＩフォーマット１Ａまたは１Ｃ、あるいは１Ａと１Ｃの両方は、ブロードキャストトラフィックおよび／またはユニキャストトラフィックに対する後方互換性が維持され得る（すなわち、変更され得ない）。
【００８５】
より詳細には、オプションＩＶの実施形態の上記の説明に基づき、共通探索空間ブラインド復号について以下の例示的な代替形態が考慮され得、ＣＣＥアグリゲーションレベル８のために定義された２つのロケーションと、ＣＣＥアグリゲーションレベル４のために定義された４つのロケーションとがある。
【００８６】
代替形態１：３つのＤＣＩサイズ１Ａ’／０’、１Ｃ’、１Ａ→３（４＋２）＝１８個のブラインド復号。
【００８７】
代替形態２：３つのＤＣＩサイズ１Ａ’／０’、１Ｃ’、１Ｃ→３（４＋２）＝１８個のブラインド復号。
【００８８】
代替形態３：３つのＤＣＩサイズ１Ａ’／０’、１Ｃ、１Ａ→３（４＋２）＝１８個のブラインド復号。
【００８９】
代替形態４：４つのＤＣＩサイズ１Ａ’／０’、１Ｃ’、１Ａ、１Ｃ→４（４＋２）＝２４個のブラインド復号。
【００９０】
４つの代替形態の各々について、ＵＥ固有探索空間は、３２個のブラインド復号をもつオプションＩおよびＩＩと同じである。したがって、クロスキャリアシグナリングの柔軟性と、ＬＴＥ  Ｒｅｌ−８ユニキャストトラフィックまたはブロードキャストトラフィックとの後方互換性、あるいはユニキャストトラフィックとブロードキャストトラフィックの両方との後方互換性とを取得するために、ＬＴＥ  Ｒｅｌ−８での４４個のブラインド復号に比較して、オプションＩＶの下では５０（１８＋３２）個と５６（２４＋３２）個のどちらかのブラインド復号が必要とされ得る。
【００９１】
表４に、上記で説明した実施形態を要約する。
【表４】
0005623534.tif 000005
【００９２】
本明細書で企図される共通探索空間のための他のオプションは、限定はしないが、｛１Ａ／０、１Ｃ’｝または｛１Ａ／０、１Ｃ、１Ｃ’｝を含み、ＣＩＦは、ＤＣＩフォーマット１Ａ／０ではなくＤＣＩフォーマット１Ｃのみに導入される。
【００９３】
図８Ａは、例示的な実施形態に従って実行される方法８００の動作を示すフローチャートである。方法８００は、通信システム７００に示す高度ＵＥ７０４などのユーザ機器によって実行され得る。
【００９４】
図８Ａの方法８００は、動作８０２において、ワイヤレス通信デバイスのために構成された複数のコンポーネントキャリアを受信することによって開始し、複数のコンポーネントキャリアは、１つまたは複数の共通探索空間と複数のユーザ固有探索空間とを備える複数の探索空間を備える。本方法は、動作８０４において、第１のコンポーネントキャリアのためのクロスキャリアシグナリングを可能にするように構成されたクロスキャリアインジケータを受信し、動作８０６において、第２のコンポーネントキャリア上で搬送される制御情報フォーマットと第２のコンポーネントキャリア上の探索空間との関連に基づいて、クロスキャリアインジケータが第２のコンポーネントキャリア上で搬送される制御情報フォーマット中に存在するかどうかを判断することによって続く。
【００９５】
一実施形態では、クロスキャリア動作は、構成され、通信プロトコルの上位レイヤ（たとえば、無線リソース制御レイヤ）によってＵＥにシグナリングされ得、キャリア指示は、クロスキャリアシグナリングがないときは０ビットに、クロスキャリアシグナリングが実装されるときは３ビットに制約され得、固定ビット数（たとえば、３）を使用することにより、使用されているＣＩビット数をシグナリングし検出する必要をなくすことによって複雑さを低減する。そのようなシグナリングは、アップリンク（ＵＬ）キャリア割当てとダウンリンク（ＤＬ）キャリア割当ての両方またはいずれかに固有であり得る。そのようなシグナリングはユーザ機器に固有であり得る。さらに、そのようなシグナリングは個々のコンポーネントキャリアに固有であり得る。キャリアインジケータの意味に関して上位レイヤスケジューラとＵＥとの間に共通解釈があることが重要である。以下の表５に、ユーザ機器のための５つのコンポーネントキャリア上でのスケジューリングデータ送信が第１のコンポーネントキャリアによって搬送されるとき、このユーザ機器のためのこれらの５つのコンポーネントキャリアのセット中の指定されたコンポーネントキャリアにＣＩビットがマッピングされ得る方法の一例を示す。表５に示すビットマップは例であり、他のビットマップがあり得ることを諒解されよう。
【表５】
0005623534.tif 000006
【００９６】
ＵＥキャリア構成は、キャリア識別情報のために使用され得る各キャリアの一意の識別子を含み得る。また、３ビットインジケータが直接対処することができるキャリアよりも多くのキャリアに対処する柔軟性を可能にするために、キャリア索引付けは、割当てを行うＰＤＣＣＨのキャリアに固有であり得る。たとえば、１０個のキャリアがある場合、ＵＥは、第１のキャリア中のあるＰＤＣＣＨに基づいて第１の最初の５つのキャリアに対処し、第２のキャリア中の別のＰＤＣＣＨに基づいて他の５つのキャリアに対処し得る。また、クロスキャリアシグナリングを特定のキャリアサブセットに制限することによって、ブラインド復号の総数を制限することができる。
【００９７】
上記で説明したように、様々なＤＣＩフォーマット内にＣＩＦを組み込むことの詳細に関して、ＣＩは、概して、ＵＥ固有のＵＬまたはＤＬ割当てを搬送することができるすべてＤＣＩフォーマットに適用可能である。ＤＣＩフォーマット０、１、１Ａ、１Ｂ、１Ｄ、２および２Ａは、Ｃ−ＲＮＴＩスクランブルを用いたＵＥ固有の割当てのために使用され、クロスキャリア動作のためのＣＩＦを含むことができる。ＤＣＩフォーマット１Ｃ、３、および３Ａは、ＵＥ固有の目的では使用されず、共通探索空間に位置する。同じ共通探索空間を使用するＬＴＥ  Ｒｅｌ−８  ＵＥとの後方互換性を可能にするために、ＤＣＩフォーマット１Ｃ、３および３Ａは、ＣＩＦを含まないことがある。ただし、ＬＴＥ  Ｒｅｌ−８では、ＤＣＩフォーマット０および１Ａは、共通探索空間でもＵＥ固有探索空間でも使用される。ＬＴＥ  Ｒｅｌ−８との後方互換性を保証するために、共通探索空間中のＤＣＩフォーマットについて、キャリアインジケータをもつＤＣＩフォーマット０および１Ａは、ＣＲＣスクランブルのために使用される固有のＲＮＴＩによって、キャリアインジケータをもたないＤＣＩフォーマット０および１Ａと区別され得る。たとえば、キャリアインジケータをもつＤＣＩフォーマット０および１Ａは、Ｃ−ＲＮＴＩによって排他的にＣＲＣスクランブルされ得、一方、キャリアインジケータをもたないＤＣＩフォーマット０および１Ａは、たとえば、ＳＩ−ＲＮＴＩ、Ｐ−ＲＮＴＩまたはＲＡ−ＲＮＴＩを用いてＣＲＣスクランブルされ得る。
【００９８】
様々な実施形態では、ＬＴＥ−Ａ  ＵＥ（たとえば、ＵＥ７０４）は、共通探索空間中のＣＩＦをもつものともたないものの両方のＤＣＩフォーマット０および１Ａを復号しようと試み得る。Ｃ−ＲＮＴＩベースのＣＲＣスクランブルを用いるＤＣＩフォーマット０および１ＡはＣＩＦを含むと仮定され得、一方、ＳＩ／Ｐ／ＲＡ−ＲＮＴＩベースのＣＲＣスクランブルを用いるＤＣＩフォーマット０および１Ａは、ＣＩＦを含まないと仮定され得る。そうすることによって、ブラインド復号の数は、６（２つのＤＣＩサイズ×３つのＲＮＴＩ）だけしか増加しない。ただし、フォールスアラーム確率は、ＬＴＥ  Ｒｅｌ−８に比較して増加しない。これは、フォールスアラーム確率が、ブラインド復号の数の関数であるだけでなく、逆スクランブル演算のために使用されるＲＮＴＩの数の関数でもあるからである。この手法では、依然として復号演算の総数が維持される。表６に、上記で説明した、ＤＣＩフォーマットと、ＣＲＣスクランブルと、探索空間と、キャリア指示との関係を要約する。
【表６】
0005623534.tif 000007
【００９９】
図８Ｂは、例示的な実施形態に従って実行される、通信システム中での方法８５０の動作を示すフローチャートである。方法８５０は、通信システム７００に示すサービングノード（ｅＮＢ）７０２などの基地局によって実行され得る。
【０１００】
方法８５０は、動作８５２において、クロスキャリア制御インジケータを用いて、通信キャリアの制御チャネル中で制御情報をフォーマットすることによって開始する。本方法は、動作８５４において、スクランブリングコードを用いて制御情報をスクランブルすることによって終了し、スクランブリングコードは、制御情報のフォーマットと、制御チャネル中の複数の探索空間内の制御情報のロケーションとに基づいて選択される。
【０１０１】
図８Ｃは、例示的な実施形態に従って実行される、ＵＥ中での方法８７０の動作を示すフローチャートである。方法８７０は、通信システム７００に示す高度ＵＥ７０４などのユーザ機器によって実行され得る。
【０１０２】
方法８７０は、動作８７２において、通信キャリアの制御チャネル中の複数の探索空間で、スクランブルされた制御情報を探索することによって開始する。本方法は、動作８７４において、複数のデスクランブリングコードで複数の探索空間をブラインド復号して、制御情報を抽出することによって続く。本方法は、動作８７６において、制御情報のフォーマットと、複数の探索空間中の制御情報のロケーションとに基づいてクロスキャリア制御インジケータの存在を判断することによって終了する。
【０１０３】
説明を簡単にするために、図８Ａ、図８Ｂおよび図８Ｃ中の動作を一連の行為として図示し説明する。ただし、いくつかの行為は、１つまたは複数の実施形態によれば、本明細書で図示し説明する順序とは異なる順序で、および／または他の行為と同時に行われることができるので、方法は行為の順序によって限定されないことを理解し、諒解されたい。たとえば、方法は、状態図など、一連の相互に関係する状態またはイベントとして代替的に表現され得ることを、当業者は理解し、諒解するであろう。さらに、開示する実施形態による方法を実装するために、図示のすべての行為が必要とされるわけではない。
【０１０４】
上記のように（たとえば、表１参照）、ＤＣＩフォーマット３および３ＡはＤＣＩフォーマット１Ａおよび０にサイズ適合（size-match）され、これは、キャリア情報とともに変更されるＤＣＩフォーマット３’および３Ａ’がＤＣＩフォーマット１Ａ’および０’にサイズ適合するように定義され得ることを意味する。変更は、ゼロパディングを介したサイズ適合、または既存であるが未使用のリザーブビットの特定の用途を定義することによるサイズ適合など、同様の方法で行われ得る。ＤＣＩフォーマット３／３Ａが共通探索空間中にあり、共通探索空間中のＣＩＦサイズが好ましくはセル固有のマルチキャリア構成に基づくので、後者の手法は可能である。
【０１０５】
代替的に、送信電力制御（ＴＰＣ：transmit power control）コマンドが当該のキャリアだけでなく他のキャリアにも対処することができるように、ＣＩＦは、それらの２つのＤＣＩフォーマット中のＴＰＣビットを介してＤＣＩフォーマット３／３Ａ中に導入され得る。選択されたコンポーネントキャリアが、ユーザ機器のグループに対してより信頼できる電力制御コマンドを配信することができるとき、このクロスキャリア電力制御は、高干渉状態の下で有用であり得る。
【０１０６】
キャリア情報（ＣＩ）がブロードキャストのための１Ａ／１Ｃ  ＤＣＩフォーマット中に含まれる場合、およびＣＩＦのサイズが変化することが許されている場合、できるだけ早期にキャリア情報をシグナリングすることが有益であろう。シグナリングは明示的または暗黙的であり得る。明示的シグナリングの一例は、ＣＩの存在および／またはサイズをシグナリングするためにＰＢＣＨ中で予約済みビットを使用することである。ＰＢＣＨ復号後に、ＵＥは、ＣＩフィールドに気づき、ＳＩＢ／ページング復号を探索するためにＰＤＣＣＨペイロードサイズを判断することができる。暗黙的シグナリングでは、ＵＥは、システム情報、ページング、および／またはランダムアクセス応答のためのリソース割振りをシグナリングするために使用されるＰＤＣＣＨフォーマットのブラインド復号を実行し得る。ＣＩの存在および／またはサイズは、ブラインド復号の結果から判断され得る。
【０１０７】
代替的に、（ＰＤＣＣＨ中の明示的ＣＩに対して）ＰＤＣＣＨ  ＣＲＣスクランブルのための新しいＳＩ−ＲＮＴＩ（またはＰ／ＲＡ−ＲＮＴＩ）を介してクロスキャリアブロードキャストを実現することができる。新しいＳＩ−ＲＮＴＩは、予約済みＲＮＴＩ（将来の使用のためにＬＴＥ  Ｒｅｌ−８において現在予約済みの００００およびＦＦＦ４−ＦＦＦＤ）または他のＲＮＴＩから取られ得る。
【０１０８】
さらに別の代替形態は、スケジューリング制限を犠牲にして、２つ以上のコンポーネントキャリアの場合と同じブロードキャストコンテンツをシグナリングするために１つのＰＤＣＣＨを使用することである。
【０１０９】
図９に、上記で説明した様々な動作をサポートすることが可能な例示的なシステム６００を示す。図６に関連して説明したように、システム６００は、情報、信号、データ、命令、コマンド、ビット、シンボルなどを送信および／または受信することができるｅＮＢ６２０を含む。図９に、「コンポーネントキャリア１」６３０〜「コンポーネントキャリアＮ」６４０を使用してｅＮＢ６２０と通信しているユーザ機器６１０をも示す。ユーザ機器６１０は、情報、信号、データ、命令、コマンド、ビット、シンボルなどを送信および／または受信することができる。さらに、図示されていないが、システム６００は追加の基地局および／またはユーザ機器を含むことができることが企図される。
【０１１０】
いくつかの実施形態では、ｅＮＢ６２０は、ｅＮＢ６２０によってサービスされるユーザ機器６１０および／または他のユーザ機器（図示せず）にリンク（たとえば、ダウンリンクまたはアップリンク）上のリソースを割り振るスケジューラ９２２を含むことができる。スケジューラ９２２は、ユーザ機器６１０に関連するデータを搬送することを目的とする１つまたは複数のサブフレーム上のリソースブロック（ＲＢ：resource block）を選択することができる。たとえば、スケジューラ９２２は、ユーザ機器６１０に送信されるデータのための、ダウンリンクサブフレームのＲＢを割り当てることができ、スケジューラ９２２は、ユーザ機器６１０によって送信されるデータのための、アップリンクサブフレームのＲＢを割り当てることができる。割り振られたＲＢは、ＰＤＣＣＨなどの制御チャネル上に含まれる制御チャネルシグナリング（たとえば、制御情報メッセージ）を介してユーザ機器６１０に示され得る。ｅＮＢ６２０は、１つまたは複数の制御情報メッセージに関連する探索空間の構成を可能にすることができる探索空間構成構成要素９２４をも含む得る。探索空間構成構成要素９２４は、「コンポーネントキャリア１」６３０〜「コンポーネントキャリアＮ」６４０のうちの１つまたは複数に関連して動作することができる。たとえば、探索空間構成構成要素９２４は、２つ以上の構成要素キャリア送信に関連する制御情報メッセージの間で共有されるように２つ以上の探索空間を構成することができる。
【０１１１】
いくつかの実施形態では、図９に示すユーザ機器６１０は、１つまたは複数のコンポーネントキャリアをグループ化するように構成され得るキャリアグループ構成要素９１２を含むことができる。キャリアグループ構成要素９１２は、たとえば、コンポーネントキャリア上で搬送される制御情報のＤＣＩサイズに基づいてコンポーネントキャリアをグループ化するように構成され得る。キャリアグループ構成要素９１２はまた、通信システムによって使用される送信モードに基づいてコンポーネントキャリアをグループ化するように構成され得る。ユーザ機器６１０はまた、ユーザ機器６１０が「コンポーネントキャリア１」６３０〜「コンポーネントキャリアＮ」６４０の制御チャネルを監視することを可能にする制御チャネルモニタ構成要素９１４を含むことができる。さらに、ユーザ機器６１０内の選択構成要素９１６は、コンポーネントキャリアのグループの選択、ならびにコンポーネントキャリアのグループ内の特定のコンポーネントキャリアの選択を可能にするように構成され得る。ユーザ機器６１０はまた、「コンポーネントキャリア１」６３０〜「コンポーネントキャリアＮ」６４０の制御チャネル上で搬送される制御情報メッセージの検出を可能にする検出構成要素９１８を含むことができる。たとえば、検出構成要素９１８は、探索空間内でＤＣＩメッセージのブラインド復号を行うように構成され得る。
【０１１２】
図１０に、様々な開示する実施形態が実装され得る装置１０００を示す。特に、図１０３に示す装置１０００は、（図６および図１０に示すｅＮＢ６２０およびユーザ機器６１０など）基地局の少なくとも一部分またはユーザ機器の少なくとも一部分および／または（図２に示す送信機システム２１０および受信機システム２５０など）送信機システムまたは受信機システムの少なくとも一部分を備え得る。図１０に示す装置１０００は、ワイヤレスネットワーク内に常駐し、たとえば、１つまたは複数の受信機および／または適切な受信および復号回路（たとえば、アンテナ、トランシーバ、復調器など）を介して着信データを受信することができる。図１０に示す装置１０００はまた、たとえば、１つまたは複数の送信機および／または適切な符号化および送信回路（たとえば、アンテナ、トランシーバ、変調器など）を介して発信データを送信することができる。追加または代替として、図１０に示す装置１０００は、ワイヤードネットワーク内に常駐し得る。
【０１１３】
さらに、図１０に、装置１０００が、信号調整、分析など、１つまたは複数の動作を実行するための命令を保持することができるメモリ１００２を含むことができることを示す。さらに、図１０の装置１０００は、メモリ１００２に記憶された命令および／または別のデバイスから受信した命令を実行することができるプロセッサ１００４を含み得る。命令は、たとえば、装置１０００または関係する通信装置を構成するまたは動作させることに関係することができる。図１０に示すメモリ１００２は単一のブロックとして示されているが、別個の物理および／または論理ユニットを構成する２つ以上の別個のメモリを備え得ることに留意されたい。さらに、メモリは、プロセッサ１００４に通信可能に接続されているものとして示されているが、完全にまたは部分的に、図１０に示す装置１０００の外部に常駐し得る。また、図１０に示すスケジューラ１０２２、探索空間構成構成要素１０２４、キャリアグループ構成要素１０１２、制御チャネルモニタ構成要素１０１４、選択構成要素１０１６および／または検出構成要素１０１８などの１つまたは複数の構成要素が、メモリ１００２などのメモリ内に存在することができることを理解されたい。
【０１１４】
開示する実施形態に関連して説明したメモリは、揮発性メモリもしくは不揮発性メモリとすることができ、または揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。
【０１１５】
また、図１０の装置１０００は、ユーザ機器またはモバイルデバイスとともに採用され得、たとえば、ＳＤカード、ネットワークカード、ワイヤレスネットワークカード、（ラップトップ、デスクトップ、携帯情報端末（ＰＤＡ：personal digital assistant）を含む）コンピュータ、モバイルフォン、スマートフォン、またはネットワークにアクセスするために利用され得る任意の他の好適な端末などのモジュールとすることができることに留意されたい。ユーザ機器は、アクセス構成要素（図示せず）を介してネットワークにアクセスする。一例では、ユーザ機器とアクセス構成要素との間の接続は本質的にワイヤレスであり得、アクセス構成要素は基地局であり得、ユーザ機器はワイヤレス端末である。たとえば、端末と基地局とは、限定はしないが、時間分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、または任意の他の好適なプロトコルを含む、任意の好適なワイヤレスプロトコルを介して通信し得る。
【０１１６】
アクセス構成要素は、ワイヤードネットワークまたはワイヤレスネットワークに関連するアクセスノードとすることができる。そのために、アクセス構成要素は、たとえば、ルータ、スイッチなどとすることができる。アクセス構成要素は、他のネットワークノードと通信するための１つまたは複数のインターフェース、たとえば、通信モジュールを含むことができる。さらに、アクセス構成要素はセルラータイプのネットワーク中の基地局（またはワイヤレスアクセスポイント）とすることができ、基地局（またはワイヤレスアクセスポイント）は複数の加入者にワイヤレスカバレージエリアを与えるために利用される。そのような基地局（またはワイヤレスアクセスポイント）は、１つまたは複数のセルラー電話および／または他のワイヤレス端末にカバレージの連続するエリアを与えるように構成され得る。
【０１１７】
本明細書で説明する実施形態および特徴は、ハードウェア、ソフトウェア、ファームウェア、またはそれらの任意の組合せによって実装され得ることを理解されたい。本明細書で説明する様々な実施形態は、ネットワーク化された環境においてコンピュータによって実行される、プログラムコードなどのコンピュータ実行可能命令を含むコンピュータ可読媒体において実施されるコンピュータプログラム製品によって一実施形態では実装され得る、方法またはプロセスの概略的なコンテキストで説明する。上記のように、メモリおよび／またはコンピュータ可読媒体は、限定はしないが、読取り専用メモリ（ＲＯＭ）、ランダムアクセスメモリ（ＲＡＭ）、コンパクトディスク（ＣＤ）、デジタル多用途ディスク（ＤＶＤ）などを含む、取外し可能および取外し不可能なストレージデバイスを含み得る。したがって、開示する実施形態は非一時的コンピュータ可読媒体上に実装され得る。ソフトウェアで実装されるとき、機能は、１つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。
【０１１８】
また、いかなる接続もコンピュータ可読媒体と適切に呼ばれる。たとえば、ソフトウェアが、同軸ケーブル、光ファイバケーブル、ツイストペア、またはデジタル加入者回線（ＤＳＬ）などのワイヤレス技術を使用して、ウェブサイト、サーバ、または他のリモートソースから送信される場合、同軸ケーブル、光ファイバケーブル、ツイストペア、またはＤＳＬなどのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１１９】
概して、プログラムモジュールは、特定のタスクを実行するか、または特定の抽象データ型を実装する、ルーチン、プログラム、オブジェクト、構成要素、データ構造などを含み得る。コンピュータ実行可能命令、関連するデータ構造およびプログラムモジュールは、本明細書で開示する方法のステップを実行するためのプログラムコードの例を表す。そのような実行可能命令または関連するデータ構造の特定のシーケンスは、そのようなステップまたはプロセスで説明する機能を実装するための対応する行為の例を表す。
【０１２０】
本明細書で開示した態様に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上述のステップおよび／またはアクションの１つまたは複数を実行するように動作可能な１つまたは複数のモジュールを備え得る。
【０１２１】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部および／またはプロセッサの外部に実装され得、その場合、当技術分野で知られているように様々な手段を介してプロセッサに通信可能に結合され得る。さらに、少なくとも１つのプロセッサは、本明細書で説明した機能を実行するように動作可能な１つまたは複数のモジュールを含み得る。
【０１２２】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、ユーザ機器ツーユーザ機器）アドホックネットワークシステムをさらに含み得る。また、開示する実施形態は、多重コンポーネントキャリアを使用するシステムと連携して使用され得る。たとえば、開示する実施形態は、ＬＴＥ−Ａシステムと連携して使用され得る。
【０１２３】
シングルキャリア変調および周波数領域等化を利用するシングルキャリア周波数分割多元接続（ＳＣ−ＦＤＭＡ）は、開示する実施形態とともに利用され得る技法である。ＳＣ−ＦＤＭＡは、ＯＦＤＭＡシステムと同様のパフォーマンスおよび本質的に同じ全体的な複雑さを有する。ＳＣ−ＦＤＭＡ信号は、その固有のシングルキャリア構造のためにより低いピーク対平均電力比（ＰＡＰＲ）を有する。ＳＣ−ＦＤＭＡは、より低いＰＡＰＲが送信電力効率の点でユーザ機器に利益を与えることができるアップリンク通信において利用され得る。
【０１２４】
さらに、本明細書で説明する様々な態様または特徴は、標準のプログラミングおよび／またはエンジニアリング技法を使用した方法、装置または製造品として実装され得る。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気ストレージデバイス（たとえば、ハードディスク、フロッピー（登録商標）ディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。さらに、コンピュータプログラム製品は、本明細書で説明した機能をコンピュータに実行させるように動作可能な１つまたは複数の命令またはコードを有するコンピュータ可読媒体を含み得る。
【０１２５】
さらに、本明細書で開示する態様に関して説明する方法またはアルゴリズムのステップおよび／またはアクションは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの実施形態では、プロセッサおよび記憶媒体はＡＳＩＣ中に常駐し得る。さらに、ＡＳＩＣはユーザ機器中に常駐し得る（たとえば、図１２の６１０）。代替として、プロセッサおよび記憶媒体はユーザ機器中の個別構成要素として常駐し得る（たとえば、図１２の６１０）。さらに、いくつかの実施形態では、方法またはアルゴリズムのステップおよび／またはアクションは、コンピュータプログラム製品に組み込み得る、機械可読媒体および／またはコンピュータ可読媒体上のコードおよび／または命令の１つまたは任意の組合せ、あるいはそのセットとして常駐し得る。
【０１２６】
上記の開示は、例示的な実施形態について論じたが、添付の特許請求の範囲によって定義された記載の実施形態の範囲から逸脱することなく、様々な変更および改変を本明細書で行うことができることに留意されたい。したがって、説明した実施形態は、添付の特許請求の範囲内に入るすべてのそのような改変形態、変更形態および変形形態を包含するものとする。さらに、説明した実施形態の要素は、単数形で説明または請求されていることがあるが、単数形に限定されることが明示的に述べられていない限り、複数形が企図される。さらに、任意の実施形態の全部または一部は、別段に記載されていない限り、任意の他の実施形態の全部または一部とともに利用され得る。
【０１２７】
「含む（include）」という用語は、発明を実施するための形態または特許請求の範囲のいずれかで使用される限り、「備える（comprising）」という用語が使用時に請求項における移行語と解釈されるので「備える（comprising）」と同様に包括的なものとする。さらに、発明を実施するための形態または特許請求の範囲のいずれかで使用される「または」という用語は、排他的な「または」でなく包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
以下に、本願出願の当初の特許請求の範囲に記載された発明を付記する。
［Ｃ１］
ワイヤレス通信デバイスのために構成された複数のコンポーネントキャリアを受信することであって、前記複数のコンポーネントキャリアが、１つまたは複数の共通探索空間と複数のユーザ固有探索空間とを備える複数の探索空間を備える、受信することと、
第１のコンポーネントキャリアのためのクロスキャリアシグナリングを可能にするように構成されたクロスキャリアインジケータを受信することと、
第２のコンポーネントキャリア上で搬送される制御情報フォーマットと前記第２のコンポーネントキャリア上の探索空間との関連に基づいて、前記クロスキャリアインジケータが前記制御情報フォーマット中に存在するかどうかを判断することと
を備える方法。
［Ｃ２］
前記第２のコンポーネントキャリア上で制御チャネルを受信することをさらに備え、前記制御チャネルが前記制御情報フォーマットで符号化される、Ｃ１に記載の方法。
［Ｃ３］
前記第１のコンポーネントキャリアと前記第２のコンポーネントキャリアとが同じコンポーネントキャリアである、Ｃ１に記載の方法。
［Ｃ４］
前記第１のコンポーネントキャリアと前記第２のコンポーネントキャリアとが異なるコンポーネントキャリアである、Ｃ１に記載の方法。
［Ｃ５］
前記制御情報フォーマットが、ダウンリンク許可を制御するように構成された、Ｃ１に記載の方法。
［Ｃ６］
前記制御情報フォーマットが、少なくとも、物理ダウンリンク制御チャネル（ＰＤＣＣＨ）を介して送信されるＬＴＥ  Ｒｅｌ−８およびＲｅｌ−９ダウンリンク制御情報（ＤＣＩ）フォーマット１、１Ａ、１Ｂ、１Ｃ、１Ｄ、２、２Ａおよび２Ｂを備える、Ｃ５に記載の方法。
［Ｃ７］
前記制御情報フォーマットが、アップリンク許可を制御するように構成された、Ｃ１に記載の方法。
［Ｃ８］
前記制御情報フォーマットが、少なくとも、物理ダウンリンク制御チャネル（ＰＤＣＣＨ）を介して送信されるＬＴＥ  Ｒｅｌ−８およびＲｅｌ−９ダウンリンク制御情報（ＤＣＩ）フォーマット０を備える、Ｃ７に記載の方法。
［Ｃ９］
前記クロスキャリアインジケータが前記１つまたは複数の共通探索空間中にない、Ｃ１に記載の方法。
［Ｃ１０］
前記クロスキャリアインジケータが、前記複数のコンポーネントキャリアのサブセットに関連する前記複数のユーザ固有探索空間のサブセット中にある、Ｃ１に記載の方法。
［Ｃ１１］
前記クロスキャリアインジケータが、前記複数のユーザ固有探索空間の各々中にある、Ｃ１に記載の方法。
［Ｃ１２］
前記クロスキャリアインジケータが、ユニキャストトラフィックのために使用され、ブロードキャストトラフィックのためには使用されない、Ｃ１に記載の方法。
［Ｃ１３］
前記クロスキャリアインジケータが、３ビットからなるキャリアインジケータフィールド（ＣＩＦ）を備える、Ｃ１に記載の方法。
［Ｃ１４］
前記ＣＩＦが、前記制御情報の開始にある、Ｃ１３に記載の方法。
［Ｃ１５］
前記ＣＩＦが、ユーザ固有であり、コンポーネントキャリアごとに異なる値を備える、Ｃ１３に記載の方法。
［Ｃ１６］
前記ＣＩＦがコンポーネントキャリア固有であり、２つ以上のコンポーネントキャリアの前記制御情報が異なるコンポーネントキャリア上にある場合、前記２つ以上のコンポーネントキャリアのための前記ＣＩＦの値が同じ値を備える、Ｃ１３に記載の方法。
［Ｃ１７］
前記複数の探索空間が、少なくとも１つの共通探索空間と少なくとも１つのユーザ固有探索空間とを備え、前記共通探索空間が、キャリアインジケータをもたない２つの異なるサイズのダウンリンク制御情報（ＤＣＩ）フォーマットを含み、前記ユーザ固有探索空間が、キャリアインジケータをもつ少なくとも２つの異なるサイズのＤＣＩフォーマットを含み、キャリアインジケータを介して、クロスキャリア制御がユニキャストトラフィックのために使用可能であり、クロスキャリア制御がブロードキャストトラフィックのためには使用可能でない、Ｃ１に記載の方法。
［Ｃ１８］
前記複数の探索空間が、少なくとも１つの共通探索空間と少なくとも１つのユーザ固有探索空間とを備え、前記共通探索空間が、キャリアインジケータをもつ第１のサイズのＤＣＩフォーマットと、キャリアインジケータをもたない第２のサイズのＤＣＩフォーマットとを含み、前記ユーザ固有探索空間が、キャリアインジケータをもつ少なくとも２つの異なるサイズのＤＣＩフォーマットを含み、キャリアインジケータを介して、クロスキャリア制御がユニキャストトラフィックのために使用可能であり、ブロードキャストトラフィックのためには使用可能でない、Ｃ１に記載の方法。
［Ｃ１９］
前記複数の探索空間が、少なくとも１つの共通探索空間と少なくとも１つのユーザ固有探索空間とを備え、前記共通探索空間が、キャリアインジケータをもつ２つの異なるサイズのＤＣＩフォーマットを含み、前記ユーザ固有探索空間が、キャリアインジケータをもつ少なくとも２つの異なるサイズのＤＣＩフォーマットを含み、クロスキャリア制御がユニキャストトラフィックとブロードキャストトラフィックとのために使用可能である、Ｃ１に記載の方法。
［Ｃ２０］
前記複数の探索空間が、少なくとも１つの共通探索空間と少なくとも１つのユーザ固有探索空間とを備え、前記共通探索空間が、キャリアインジケータをもつ第１のサイズのＤＣＩフォーマットと、キャリアインジケータをもたない第２のサイズのＤＣＩフォーマットとを含み、前記ユーザ固有探索空間が、キャリアインジケータをもつ２つのＤＣＩフォーマットを含み、クロスキャリア制御がユニキャストトラフィックとブロードキャストトラフィックとのために使用可能である、Ｃ１に記載の方法。
［Ｃ２１］
前記複数の探索空間が、少なくとも１つの共通探索空間と少なくとも１つのユーザ固有探索空間とを備え、前記共通探索空間が、キャリアインジケータをもつ２つのサイズのＤＣＩフォーマットと、キャリアインジケータをもたない第３のサイズのＤＣＩフォーマットとを備える、３つのサイズのＤＣＩフォーマットを含み、前記ユーザ固有探索空間が、キャリアインジケータをもつ少なくとも２つの異なるサイズのＤＣＩフォーマットを含み、前記方法がＬＴＥ  Ｒｅｌ−８ブロードキャストトラフィックおよびユニキャストトラフィックとの後方互換性がある、Ｃ１に記載の方法。
［Ｃ２２］
前記複数の探索空間が、少なくとも１つの共通探索空間と少なくとも１つのユーザ固有探索空間とを備え、前記共通探索空間が、キャリアインジケータをもつ第１の２つのサイズのＤＣＩフォーマットと、キャリアインジケータをもたない第２の２つのサイズのＤＣＩフォーマットとを備える、４つのサイズのＤＣＩフォーマットを含み、前記ユーザ固有探索空間が、キャリアインジケータをもつ少なくとも２つの異なるサイズのＤＣＩフォーマットを含み、前記方法がＬＴＥ  Ｒｅｌ−８ブロードキャストトラフィックおよびユニキャストトラフィックとの後方互換性がある、Ｃ１に記載の方法。
［Ｃ２３］
ワイヤレス通信デバイスのために構成された複数のコンポーネントキャリアを受信するための手段であって、前記複数のコンポーネントキャリアが、１つまたは複数の共通探索空間と複数のユーザ固有探索空間とを備える複数の探索空間を備える、受信するための手段と、
第１のコンポーネントキャリアのためのクロスキャリアシグナリングを可能にするように構成されたクロスキャリアインジケータを受信するための手段と、
第２のコンポーネントキャリア上で搬送される制御情報フォーマットと前記第２のコンポーネントキャリア上の探索空間との関連に基づいて、前記クロスキャリアインジケータが前記制御情報フォーマット中に存在するかどうかを判断するための手段と
を備える、装置。
［Ｃ２４］
装置であって、
プロセッサと、
前記プロセッサによって実行されたとき、
ワイヤレス通信デバイスのために構成された複数のコンポーネントキャリアを受信することであって、前記複数のコンポーネントキャリアが、１つまたは複数の共通探索空間と複数のユーザ固有探索空間とを備える複数の探索空間を備える、受信することと、
第１のコンポーネントキャリアのためのクロスキャリアシグナリングを可能にするように構成されたクロスキャリアインジケータを受信することと、
第２のコンポーネントキャリア上で搬送される制御情報フォーマットと前記第２のコンポーネントキャリア上の探索空間との関連に基づいて、前記クロスキャリアインジケータが前記制御情報フォーマット中に存在するかどうかを判断することと
を前記装置が実行するように構成するプロセッサ実行可能コードを備えるメモリと
を備える、装置。
［Ｃ２５］
前記第２のコンポーネントキャリア上で制御チャネルを受信するようにさらに構成され、前記制御チャネルが前記制御情報フォーマットで符号化される、Ｃ２４に記載の装置。
［Ｃ２６］
前記第１のコンポーネントキャリアと前記第２のコンポーネントキャリアとが同じコンポーネントキャリアである、Ｃ２４に記載の装置。
［Ｃ２７］
前記第１のコンポーネントキャリアと前記第２のコンポーネントキャリアとが異なるコンポーネントキャリアである、Ｃ２４に記載の装置。
［Ｃ２８］
前記制御情報フォーマットが、ダウンリンク許可を制御するように構成された、Ｃ２４に記載の装置。
［Ｃ２９］
前記制御情報フォーマットが、少なくとも、物理ダウンリンク制御チャネル（ＰＤＣＣＨ）を介して送信されるＬＴＥ  Ｒｅｌ−８およびＲｅｌ−９ダウンリンク制御情報（ＤＣＩ）フォーマット１、１Ａ、１Ｂ、１Ｃ、１Ｄ、２、２Ａおよび２Ｂを備える、Ｃ２４に記載の装置。
［Ｃ３０］
前記制御情報フォーマットが、アップリンク許可を制御するように構成された、Ｃ２４に記載の装置。
［Ｃ３１］
前記制御情報フォーマットが、少なくとも、物理ダウンリンク制御チャネル（ＰＤＣＣＨ）を介して送信されるＬＴＥ  Ｒｅｌ−８およびＲｅｌ−９ダウンリンク制御情報（ＤＣＩ）フォーマット０を備える、Ｃ３０に記載の装置。
［Ｃ３２］
前記クロスキャリアインジケータが前記１つまたは複数の共通探索空間中にない、Ｃ２４に記載の装置。
［Ｃ３３］
前記クロスキャリアインジケータが、前記複数のコンポーネントキャリアのサブセットに関連する前記複数のユーザ固有探索空間のサブセット中にある、Ｃ２４に記載の装置。
［Ｃ３４］
前記クロスキャリアインジケータが、前記複数のユーザ固有探索空間の各々中にある、Ｃ２４に記載の装置。
［Ｃ３５］
前記クロスキャリアインジケータが、ユニキャストトラフィックのために使用され、ブロードキャストトラフィックのためには使用されない、Ｃ２４に記載の装置。
［Ｃ３６］
前記クロスキャリアインジケータが、３ビットからなるキャリアインジケータフィールド（ＣＩＦ）を備える、Ｃ２４に記載の装置。
［Ｃ３７］
前記ＣＩＦが、前記制御情報の開始にある、Ｃ３６に記載の装置。
［Ｃ３８］
前記ＣＩＦが、ユーザ固有であり、コンポーネントキャリアごとに異なる値を備える、Ｃ３６に記載の装置。
［Ｃ３９］
前記ＣＩＦがコンポーネントキャリア固有であり、２つ以上のコンポーネントキャリアの前記制御情報が異なるコンポーネントキャリア上にある場合、前記２つ以上のコンポーネントキャリアのための前記ＣＩＦの値が同じ値を備える、Ｃ３６に記載の装置。
［Ｃ４０］
前記共通探索空間が、キャリアインジケータをもたない２つの異なるサイズのダウンリンク制御情報（ＤＣＩ）フォーマットを含み、前記ユーザ固有探索空間が、キャリアインジケータをもつ少なくとも２つの異なるサイズのＤＣＩフォーマットを含み、キャリアインジケータを介して、クロスキャリア制御がユニキャストトラフィックのために使用可能であり、ブロードキャストトラフィックのためには使用可能でない、Ｃ２４に記載の装置。
［Ｃ４１］
前記共通探索空間が、キャリアインジケータをもつ第１のサイズのＤＣＩフォーマットと、キャリアインジケータをもたない第２のサイズのＤＣＩフォーマットとを含み、前記ユーザ固有探索空間が、キャリアインジケータをもつ少なくとも２つの異なるサイズのＤＣＩフォーマットを含み、キャリアインジケータを介して、クロスキャリア制御がユニキャストトラフィックのために使用可能であり、ブロードキャストトラフィックのためには使用可能でない、Ｃ２４に記載の装置。
［Ｃ４２］
前記共通探索空間が、キャリアインジケータをもつ２つの異なるサイズのＤＣＩフォーマットを含み、前記ユーザ固有探索空間が、キャリアインジケータをもつ少なくとも２つの異なるサイズのＤＣＩフォーマットを含み、クロスキャリア制御がユニキャストトラフィックとブロードキャストトラフィックとのために使用可能である、Ｃ２４に記載の装置。
［Ｃ４３］
前記共通探索空間が、キャリアインジケータをもつ第１のサイズのＤＣＩフォーマットと、キャリアインジケータをもたない第２のサイズのＤＣＩフォーマットとを含み、前記ユーザ固有探索空間が、キャリアインジケータをもつ２つのＤＣＩフォーマットを含み、クロスキャリア制御がユニキャストトラフィックとブロードキャストトラフィックとのために使用可能である、Ｃ２４に記載の装置。
［Ｃ４４］
前記共通探索空間が、キャリアインジケータをもつ２つのサイズのＤＣＩフォーマットと、キャリアインジケータをもたない第３のサイズのＤＣＩフォーマットとを備える、３つのサイズのＤＣＩフォーマットを含み、前記ユーザ固有探索空間が、キャリアインジケータをもつ少なくとも２つの異なるサイズのＤＣＩフォーマットを含み、前記方法がＬＴＥ  Ｒｅｌ−８ブロードキャストトラフィックおよびユニキャストトラフィックとの後方互換性がある、Ｃ２４に記載の装置。
［Ｃ４５］
前記共通探索空間が、キャリアインジケータをもつ第１の２つのサイズのＤＣＩフォーマットと、キャリアインジケータをもたない第２の２つのサイズのＤＣＩフォーマットとを備える、４つのサイズのＤＣＩフォーマットを含み、前記ユーザ固有探索空間が、キャリアインジケータをもつ少なくとも２つの異なるサイズのＤＣＩフォーマットを含み、前記方法がＬＴＥ  Ｒｅｌ−８ブロードキャストトラフィックおよびユニキャストトラフィックとの後方互換性がある、Ｃ２４に記載の装置。
［Ｃ４６］
ワイヤレス通信デバイスのために構成された複数のコンポーネントキャリアを受信するためのプログラムコードであって、前記複数のコンポーネントキャリアが、１つまたは複数の共通探索空間と複数のユーザ固有探索空間とを備える複数の探索空間を備える、受信するためのプログラムコードと、
第１のコンポーネントキャリアのためのクロスキャリアシグナリングを可能にするように構成されたクロスキャリアインジケータを受信するためのプログラムコードと、
第２のコンポーネントキャリア上で搬送される制御情報フォーマットと前記第２のコンポーネントキャリア上の探索空間との関連に基づいて、前記クロスキャリアインジケータが前記制御情報フォーマット中に存在するかどうかを判断するためのプログラムコードと
を備える、非一時的コンピュータ可読記憶媒体に組み込まれる、コンピュータプログラム製品。
［Ｃ４７］
ワイヤレス通信デバイスのために構成された複数のコンポーネントキャリアを送信することであって、前記複数のコンポーネントキャリアが、１つまたは複数の共通探索空間と複数のユーザ固有探索空間とを備える複数の探索空間を備える、送信することと、
第１のコンポーネントキャリアのためのクロスキャリアシグナリングを可能にするように構成され、第２のコンポーネントキャリア上で搬送される制御情報フォーマットと前記第２のコンポーネントキャリア上の探索空間との関連に基づいて、クロスキャリアインジケータが前記第２のコンポーネントキャリア上で搬送される前記制御情報フォーマット中に存在するかどうかの判断を与えるように構成された、前記クロスキャリアインジケータを送信することと
を備える、方法。
［Ｃ４８］
前記第２のコンポーネントキャリア上で制御チャネルを送信することをさらに備え、前記制御チャネルが前記制御情報フォーマットで符号化される、Ｃ４７に記載の方法。
［Ｃ４９］
前記第１のコンポーネントキャリアと前記第２のコンポーネントキャリアとが同じコンポーネントキャリアである、Ｃ４７に記載の方法。
［Ｃ５０］
前記第１のコンポーネントキャリアと前記第２のコンポーネントキャリアとが異なるコンポーネントキャリアである、Ｃ４７に記載の方法。
［Ｃ５１］
前記制御情報フォーマットが、ダウンリンク許可を制御するように構成された、Ｃ４７に記載の方法。
［Ｃ５２］
前記制御情報フォーマットが、少なくとも、物理ダウンリンク制御チャネル（ＰＤＣＣＨ）を介して送信されるＬＴＥ  Ｒｅｌ−８およびＲｅｌ−９ダウンリンク制御情報（ＤＣＩ）フォーマット１、１Ａ、１Ｂ、１Ｃ、１Ｄ、２、２Ａおよび２Ｂを備える、Ｃ５１に記載の方法。
［Ｃ５３］
前記制御情報フォーマットが、アップリンク許可を制御するように構成された、Ｃ４７に記載の方法。
［Ｃ５４］
前記制御情報フォーマットが、少なくとも、物理ダウンリンク制御チャネル（ＰＤＣＣＨ）を介して送信されるＬＴＥ  Ｒｅｌ−８およびＲｅｌ−９ダウンリンク制御情報（ＤＣＩ）フォーマット０を備える、Ｃ５３に記載の方法。
［Ｃ５５］
前記クロスキャリアインジケータが前記１つまたは複数の共通探索空間中にない、Ｃ４７に記載の方法。
［Ｃ５６］
前記クロスキャリアインジケータが、前記複数のコンポーネントキャリアのサブセットに関連する前記複数のユーザ固有探索空間のサブセット中にある、Ｃ４７に記載の方法。
［Ｃ５７］
前記クロスキャリアインジケータが、前記複数のユーザ固有探索空間の各々中にある、Ｃ４７に記載の方法。
［Ｃ５８］
前記クロスキャリアインジケータが、ユニキャストトラフィックのために使用され、ブロードキャストトラフィックのためには使用されない、Ｃ４７に記載の方法。
［Ｃ５９］
前記クロスキャリアインジケータが、３ビットからなるキャリアインジケータフィールド（ＣＩＦ）を備える、Ｃ４７に記載の方法。
［Ｃ６０］
前記ＣＩＦが、前記制御情報の開始にある、Ｃ５９に記載の方法。
［Ｃ６１］
前記ＣＩＦが、ユーザ固有であり、コンポーネントキャリアごとに異なる値を備える、Ｃ５９に記載の方法。
［Ｃ６２］
前記ＣＩＦがコンポーネントキャリア固有であり、２つ以上のコンポーネントキャリアの前記制御情報が異なるコンポーネントキャリア上にある場合、前記２つ以上のコンポーネントキャリアのための前記ＣＩＦの値が同じ値を備える、Ｃ５９に記載の方法。
［Ｃ６３］
前記共通探索空間が、キャリアインジケータをもたない２つの異なるサイズのダウンリンク制御情報（ＤＣＩ）フォーマットを含み、前記ユーザ固有探索空間が、キャリアインジケータをもつ少なくとも２つの異なるサイズのＤＣＩフォーマットを含み、キャリアインジケータを介して、クロスキャリア制御がユニキャストトラフィックのために使用可能であり、ブロードキャストトラフィックのためには使用可能でない、Ｃ４７に記載の方法。
［Ｃ６４］
前記共通探索空間が、キャリアインジケータをもつ第１のサイズのＤＣＩフォーマットと、キャリアインジケータをもたない第２のサイズのＤＣＩフォーマットとを含み、前記ユーザ固有探索空間が、キャリアインジケータをもつ少なくとも２つの異なるサイズのＤＣＩフォーマットを含み、キャリアインジケータを介して、クロスキャリア制御がユニキャストトラフィックのために使用可能であり、ブロードキャストトラフィックのためには使用可能でない、Ｃ４７に記載の方法。
［Ｃ６５］
前記共通探索空間が、キャリアインジケータをもつ２つの異なるサイズのＤＣＩフォーマットを含み、前記ユーザ固有探索空間が、キャリアインジケータをもつ少なくとも２つの異なるサイズのＤＣＩフォーマットを含み、クロスキャリア制御がユニキャストトラフィックとブロードキャストトラフィックとのために使用可能である、Ｃ４７に記載の方法。
［Ｃ６６］
前記共通探索空間が、キャリアインジケータをもつ第１のサイズのＤＣＩフォーマットと、キャリアインジケータをもたない第２のサイズのＤＣＩフォーマットとを含み、前記ユーザ固有探索空間が、キャリアインジケータをもつ２つのＤＣＩフォーマットを含み、クロスキャリア制御がユニキャストトラフィックとブロードキャストトラフィックとのために使用可能である、Ｃ４７に記載の方法。
［Ｃ６７］
前記共通探索空間が、キャリアインジケータをもつ２つのサイズのＤＣＩフォーマットと、キャリアインジケータをもたない第３のサイズのＤＣＩフォーマットとを備える、３つのサイズのＤＣＩフォーマットを含み、前記ユーザ固有探索空間が、キャリアインジケータをもつ少なくとも２つの異なるサイズのＤＣＩフォーマットを含み、前記方法がＬＴＥ  Ｒｅｌ−８ブロードキャストトラフィックおよびユニキャストトラフィックとの後方互換性がある、Ｃ４７に記載の方法。
［Ｃ６８］
前記共通探索空間が、キャリアインジケータをもつ第１の２つのサイズのＤＣＩフォーマットと、キャリアインジケータをもたない第２の２つのサイズのＤＣＩフォーマットとを備える、４つのサイズのＤＣＩフォーマットを含み、前記ユーザ固有探索空間が、キャリアインジケータをもつ少なくとも２つの異なるサイズのＤＣＩフォーマットを含み、前記方法がＬＴＥ  Ｒｅｌ−８ブロードキャストトラフィックおよびユニキャストトラフィックとの後方互換性がある、Ｃ４７に記載の方法。
［Ｃ６９］
ワイヤレス通信デバイスのために構成された複数のコンポーネントキャリアを送信するための手段であって、前記複数のコンポーネントキャリアが、１つまたは複数の共通探索空間と複数のユーザ固有探索空間とを備える複数の探索空間を備える、送信するための手段と、
第１のコンポーネントキャリアのためのクロスキャリアシグナリングを可能にするように構成され、第２のコンポーネントキャリア上で搬送される制御情報フォーマットと前記第２のコンポーネントキャリア上の探索空間との関連に基づいて、クロスキャリアインジケータが前記第２のコンポーネントキャリア上で搬送される前記制御情報フォーマット中に存在するかどうかの判断を与えるように構成された、前記クロスキャリアインジケータを送信するための手段と
を備える、装置。
［Ｃ７０］
装置であって、
プロセッサと、
前記プロセッサによって実行されたとき、
ワイヤレス通信デバイスのために構成された複数のコンポーネントキャリアを送信することであって、前記複数のコンポーネントキャリアが、１つまたは複数の共通探索空間と複数のユーザ固有探索空間とを備える複数の探索空間を備える、送信することと、
第１のコンポーネントキャリアのためのクロスキャリアシグナリングを可能にするように構成され、第２のコンポーネントキャリア上で搬送される制御情報フォーマットと前記第２のコンポーネントキャリア上の探索空間との関連に基づいて、クロスキャリアインジケータが前記第２のコンポーネントキャリア上で搬送される前記制御情報フォーマット中に存在するかどうかの判断を与えるように構成された、前記クロスキャリアインジケータを送信することと
を前記装置が実行するように構成するプロセッサ実行可能コードを備えるメモリと
を備える、装置。
［Ｃ７１］
前記第２のコンポーネントキャリア上で制御チャネルを受信するようにさらに構成され、前記制御チャネルが前記制御情報フォーマットで符号化される、Ｃ７０に記載の装置。
［Ｃ７２］
前記第１のコンポーネントキャリアと前記第２のコンポーネントキャリアとが同じコンポーネントキャリアである、Ｃ７０に記載の装置。
［Ｃ７３］
前記第１のコンポーネントキャリアと前記第２のコンポーネントキャリアとが異なるコンポーネントキャリアである、Ｃ７０に記載の装置。
［Ｃ７４］
前記制御情報フォーマットが、ダウンリンク許可を制御するように構成された、Ｃ７０に記載の装置。
［Ｃ７５］
前記制御情報フォーマットが、少なくとも、物理ダウンリンク制御チャネル（ＰＤＣＣＨ）を介して送信されるＬＴＥ  Ｒｅｌ−８およびＲｅｌ−９ダウンリンク制御情報（ＤＣＩ）フォーマット１、１Ａ、１Ｂ、１Ｃ、１Ｄ、２、２Ａおよび２Ｂを備える、Ｃ７０に記載の装置。
［Ｃ７６］
前記制御情報フォーマットが、アップリンク許可を制御するように構成された、Ｃ７０に記載の装置。
［Ｃ７７］
前記制御情報フォーマットが、少なくとも、物理ダウンリンク制御チャネル（ＰＤＣＣＨ）を介して送信されるＬＴＥ  Ｒｅｌ−８およびＲｅｌ−９ダウンリンク制御情報（ＤＣＩ）フォーマット０を備える、Ｃ７６に記載の装置。
［Ｃ７８］
前記クロスキャリアインジケータが前記１つまたは複数の共通探索空間中にない、Ｃ７０に記載の装置。
［Ｃ７９］
前記クロスキャリアインジケータが、前記複数のコンポーネントキャリアのサブセットに関連する前記複数のユーザ固有探索空間のサブセット中にある、Ｃ７０に記載の装置。
［Ｃ８０］
前記クロスキャリアインジケータが、前記複数のユーザ固有探索空間の各々中にある、Ｃ７０に記載の装置。
［Ｃ８１］
前記クロスキャリアインジケータが、ユニキャストトラフィックのために使用され、ブロードキャストトラフィックのためには使用されない、Ｃ７０に記載の装置。
［Ｃ８２］
前記クロスキャリアインジケータが、３ビットからなるキャリアインジケータフィールド（ＣＩＦ）を備える、Ｃ７０に記載の装置。
［Ｃ８３］
前記ＣＩＦが、前記制御情報の開始にある、Ｃ８２に記載の装置。
［Ｃ８４］
前記ＣＩＦが、ユーザ固有であり、コンポーネントキャリアごとに異なる値を備える、Ｃ８２に記載の装置。
［Ｃ８５］
前記ＣＩＦがコンポーネントキャリア固有であり、２つ以上のコンポーネントキャリアの前記制御情報が異なるコンポーネントキャリア上にある場合、前記２つ以上のコンポーネントキャリアのための前記ＣＩＦの値が同じ値を備える、Ｃ８２に記載の装置。
［Ｃ８６］
前記共通探索空間が、キャリアインジケータをもたない２つの異なるサイズのダウンリンク制御情報（ＤＣＩ）フォーマットを含み、前記ユーザ固有探索空間が、キャリアインジケータをもつ少なくとも２つの異なるサイズのＤＣＩフォーマットを含み、キャリアインジケータを介して、クロスキャリア制御がユニキャストトラフィックのために使用可能であり、ブロードキャストトラフィックのためには使用可能でない、Ｃ７０に記載の装置。
［Ｃ８７］
前記共通探索空間が、キャリアインジケータをもつ第１のサイズのＤＣＩフォーマットと、キャリアインジケータをもたない第２のサイズのＤＣＩフォーマットとを含み、前記ユーザ固有探索空間が、キャリアインジケータをもつ少なくとも２つの異なるサイズのＤＣＩフォーマットを含み、キャリアインジケータを介して、クロスキャリア制御がユニキャストトラフィックのために使用可能であり、ブロードキャストトラフィックのためには使用可能でない、Ｃ７０に記載の装置。
［Ｃ８８］
前記共通探索空間が、キャリアインジケータをもつ２つの異なるサイズのＤＣＩフォーマットを含み、前記ユーザ固有探索空間が、キャリアインジケータをもつ少なくとも２つの異なるサイズのＤＣＩフォーマットを含み、クロスキャリア制御がユニキャストトラフィックとブロードキャストトラフィックとのために使用可能である、Ｃ７０に記載の装置。
［Ｃ８９］
前記共通探索空間が、キャリアインジケータをもつ第１のサイズのＤＣＩフォーマットと、キャリアインジケータをもたない第２のサイズのＤＣＩフォーマットとを含み、前記ユーザ固有探索空間が、キャリアインジケータをもつ２つのＤＣＩフォーマットを含み、クロスキャリア制御がユニキャストトラフィックとブロードキャストトラフィックとのために使用可能である、Ｃ７０に記載の装置。
［Ｃ９０］
前記共通探索空間が、キャリアインジケータをもつ２つのサイズのＤＣＩフォーマットと、キャリアインジケータをもたない第３のサイズのＤＣＩフォーマットとを備える、３つのサイズのＤＣＩフォーマットを含み、前記ユーザ固有探索空間が、キャリアインジケータをもつ少なくとも２つの異なるサイズのＤＣＩフォーマットを含み、前記方法がＬＴＥ  Ｒｅｌ−８ブロードキャストトラフィックおよびユニキャストトラフィックとの後方互換性がある、Ｃ７０に記載の装置。
［Ｃ９１］
前記共通探索空間が、キャリアインジケータをもつ第１の２つのサイズのＤＣＩフォーマットと、キャリアインジケータをもたない第２の２つのサイズのＤＣＩフォーマットとを備える、４つのサイズのＤＣＩフォーマットを含み、前記ユーザ固有探索空間が、キャリアインジケータをもつ少なくとも２つの異なるサイズのＤＣＩフォーマットを含み、前記方法がＬＴＥ  Ｒｅｌ−８ブロードキャストトラフィックおよびユニキャストトラフィックとの後方互換性がある、Ｃ７０に記載の装置。
［Ｃ９２］
ワイヤレス通信デバイスのために構成された複数のコンポーネントキャリアを送信するためのプログラムコードであって、前記複数のコンポーネントキャリアが、１つまたは複数の共通探索空間と複数のユーザ固有探索空間とを備える複数の探索空間を備える、送信するためのプログラムコードと、
第１のコンポーネントキャリアのためのクロスキャリアシグナリングを可能にするように構成され、第２のコンポーネントキャリア上で搬送される制御情報フォーマットと前記第２のコンポーネントキャリア上の探索空間との関連に基づいて、クロスキャリアインジケータが前記第２のコンポーネントキャリア上で搬送される前記制御情報フォーマット中に存在するかどうかの判断を与えるように構成された、前記クロスキャリアインジケータを送信するためのプログラムコードと
を備える、非一時的コンピュータ可読記憶媒体に組み込まれる、コンピュータプログラム製品。
［Ｃ９３］
クロスキャリア制御インジケータを用いて、通信キャリアの制御チャネル中で制御情報をフォーマットすることと、
スクランブリングコードを用いて前記制御情報をスクランブルすることであって、前記スクランブリングコードが、前記制御情報のフォーマットと、前記制御チャネル中の複数の探索空間内の前記制御情報のロケーションとに基づいて選択される、スクランブルすることと
を備える、方法。
［Ｃ９４］
前記制御チャネル中の前記複数の探索空間が、複数のユーザ固有探索空間と複数の共通探索空間とを備える、Ｃ９３に記載の方法。
［Ｃ９５］
第１の複数の制御情報フォーマットが、第１のスクランブリングコードと前記複数の共通探索空間とに関連し、
前記第１の複数の制御情報フォーマットを含む第２の複数の制御情報フォーマットが、第２のスクランブリングコードと前記複数のユーザ固有探索空間とに関連し、前記第２のスクランブリングコードが前記第１のスクランブリングコードとは異なる、Ｃ９４に記載の方法。
［Ｃ９６］
スクランブルされた制御情報を求めて通信キャリアの制御チャネル中の複数の探索空間を探索することと、
前記制御情報を抽出するために、複数のデスクランブリングコードで前記複数の探索空間をブラインド復号することと、
前記制御情報のフォーマットと、前記複数の探索空間中の前記制御情報のロケーションとに基づいてクロスキャリア制御インジケータの存在を判断することと
を備える、方法。
［Ｃ９７］
前記制御チャネル中の前記複数の探索空間が、複数の共通探索空間と複数のユーザ固有探索空間とを備える、Ｃ９６に記載の方法。
［Ｃ９８］
第１の複数の制御情報フォーマットが、第１のデスクランブリングコードと前記複数の共通探索空間とに関連し、
前記第１の複数の制御情報フォーマットを含む第２の複数の制御情報フォーマットが、第２のデスクランブリングコードと前記複数のユーザ固有探索空間とに関連し、前記第２のデスクランブリングコードが前記第１のデスクランブリングコードとは異なる、Ｃ９７に記載の方法。
［Ｃ９９］
装置であって、
プロセッサと、
前記プロセッサによって実行されたとき、
クロスキャリア制御インジケータを用いて、通信キャリアの制御チャネル中で制御情報をフォーマットすることと、
スクランブリングコードを用いて前記制御情報をスクランブルすることであって、前記スクランブリングコードが、前記制御情報のフォーマットと、前記制御チャネル中の複数の探索空間内の前記制御情報のロケーションとに基づいて選択される、スクランブルすることと
を前記装置が実行するように構成するプロセッサ実行可能コードを備えるメモリと
を備える、装置。
［Ｃ１００］
前記制御チャネル中の前記複数の探索空間が、複数のユーザ固有探索空間と複数の共通探索空間とを備える、Ｃ９９に記載の装置。
［Ｃ１０１］
第１の複数の制御情報フォーマットが、第１のスクランブリングコードと前記複数の共通探索空間とに関連し、
前記第１の複数の制御情報フォーマットを含む第２の複数の制御情報フォーマットが、第２のスクランブリングコードと前記複数のユーザ固有探索空間とに関連し、前記第２のスクランブリングコードが前記第１のスクランブリングコードとは異なる、Ｃ９９に記載の方法。
［Ｃ１０２］
装置であって、
プロセッサと、
前記プロセッサによって実行されたとき、
スクランブルされた制御情報を求めて通信キャリアの制御チャネル中の複数の探索空間を探索することと、
前記制御情報を抽出するために、複数のデスクランブリングコードで前記複数の探索空間をブラインド復号することと、
前記制御情報のフォーマットと、前記複数の探索空間中の前記制御情報のロケーションとに基づいてクロスキャリア制御インジケータの存在を判断することと
を前記装置が実行するように構成するプロセッサ実行可能コードを備えるメモリと
を備える、装置。
［Ｃ１０３］
前記制御チャネル中の前記複数の探索空間が、複数の共通探索空間と複数のユーザ固有探索空間とを備える、Ｃ１０２に記載の装置。
［Ｃ１０４］
第１の複数の制御情報フォーマットが、第１のデスクランブリングコードと前記複数の共通探索空間とに関連し、
前記第１の複数の制御情報フォーマットを含む第２の複数の制御情報フォーマットが、第２のデスクランブリングコードと前記複数のユーザ固有探索空間とに関連し、前記第２のデスクランブリングコードが前記第１のデスクランブリングコードとは異なる、Ｃ１０３に記載の装置。
［Ｃ１０５］
クロスキャリア制御インジケータを用いて、通信キャリアの制御チャネル中で制御情報をフォーマットするためのプログラムコードと、
スクランブリングコードを用いて前記制御情報をスクランブルするためのプログラムコードであって、前記スクランブリングコードが、前記制御情報のフォーマットと、前記制御チャネル中の複数の探索空間内の前記制御情報のロケーションとに基づいて選択される、スクランブルするためのプログラムコードと
を備える、非一時的コンピュータ可読記憶媒体に組み込まれる、コンピュータプログラム製品。
［Ｃ１０６］
スクランブルされた制御情報を求めて通信キャリアの制御チャネル中の複数の探索空間を探索するためのプログラムコードと、
前記制御情報を抽出するために、複数のデスクランブリングコードで前記複数の探索空間をブラインド復号するためのプログラムコードと、
前記制御情報のフォーマットと、前記複数の探索空間中の前記制御情報のロケーションとに基づいてクロスキャリア制御インジケータの存在を判断するためのプログラムコードと
を備える、非一時的コンピュータ可読記憶媒体に組み込まれる、コンピュータプログラム製品。
［Ｃ１０７］
クロスキャリア制御インジケータを用いて、通信キャリアの制御チャネル中で制御情報をフォーマットするための手段と、
スクランブリングコードを用いて前記制御情報をスクランブルするための手段であって、前記スクランブリングコードが、前記制御情報のフォーマットと、前記制御チャネル中の複数の探索空間内の前記制御情報のロケーションとに基づいて選択される、スクランブルするための手段と
を備える、装置。
［Ｃ１０８］
スクランブルされた制御情報を求めて通信キャリアの制御チャネル中の複数の探索空間を探索するための手段と、
前記制御情報を抽出するために、複数のデスクランブリングコードで前記複数の探索空間をブラインド復号するための手段と、
前記制御情報のフォーマットと、前記複数の探索空間中の前記制御情報のロケーションとに基づいてクロスキャリア制御インジケータの存在を判断するための手段と
を備える、装置。
【図１】
0005623534.tif 000008
【図２】
0005623534.tif 000009
【図３】
0005623534.tif 000010
【図４】
0005623534.tif 000011
【図５】
0005623534.tif 000012
【図６】
0005623534.tif 000013
【図７】
0005623534.tif 000014
【図８Ａ】
0005623534.tif 000015
【図８Ｂ】
0005623534.tif 000016
【図８Ｃ】
0005623534.tif 000017
【図９】
0005623534.tif 000018
【図１０】
0005623534.tif 000019